(57)【要約】【課題】  遊技台の遊技状態を正確に管理でき、遊技台の遊技状態を遊技者、ホールの係員、管理装置のオペレータの３者が同時に把握できる遊技台管理装置を提供する。【解決手段】  複数の表示プレート６のそれぞれに１つずつ付設され、かつ各々が識別可能な固有のＩＤを有し、該ＩＤを無線送信するＩＤ無線送信手段（ＲＦＩＤ）７と、複数の遊技台に対応付けして複数設置されると共に、ＩＤ無線送信手段から送信されたＩＤを無線受信可能であり、かつ管理装置４に対してデータ通信可能に接続された無線リーダ３とを有する。無線リーダ３は、少なくとも自己の設置対象の遊技台に表示プレートが取り付けられた場合に、ＩＤ無線送信手段７から送信されたＩＤを受信し、受信したＩＤを管理装置４に送信する。管理装置は、ＩＤに対応付けて表示プレートに記された遊技状態を特定し、特定された遊技状態と台番号とを一緒に出力する。【選択図】          図２
2006051179.tif 000002
【特許請求の範囲】
【請求項１】
複数の遊技台が並設された遊技設備と、前記複数の遊技台の各々に対応して取り付け並びに取り外しがなされるものであって、ホールにおける遊技ルールに基づいた前記遊技台の複数種類の遊技状態がそれぞれ記された複数の表示プレートと、前記遊技台の遊技状態を管理するための管理装置とを有する遊技台管理装置において、
前記複数の表示プレートのそれぞれに１つずつ付設され、かつ各々が識別可能な固有のＩＤを有し、該ＩＤを無線送信するＩＤ無線送信手段と、
前記複数の遊技台に対応付けして複数設置されると共に、前記ＩＤ無線送信手段から送信された前記ＩＤを無線受信可能であり、かつ前記管理装置に対してデータ通信可能に接続された無線リーダとを有し、
前記無線リーダは、少なくとも自己の設置対象の遊技台に前記表示プレートが取り付けられた場合に、該表示プレートの前記ＩＤ無線送信手段から送信された前記ＩＤを無線受信するＩＤ無線受信部と、該ＩＤ無線受信部によって受信された前記ＩＤを記憶するための記憶部と、前記記憶部に記憶されているＩＤを前記管理装置に送信する制御部とを有し、
前記管理装置は、前記ＩＤに対応付けて前記表示プレートに記された前記遊技状態を記憶させたＩＤ／遊技状態記憶テーブルと、前記無線リーダから送信された前記ＩＤに基づいて前記ＩＤ／遊技状態記憶テーブルから前記遊技状態を特定する遊技状態特定手段と、前記無線リーダの設置対象の遊技台の台番号と前記ＩＤとに基づいて、前記表示プレートが取り付けられた遊技台の台番号を特定する台番号特定手段と、前記遊技状態特定手段によって特定された前記遊技状態と前記台番号特定手段によって特定された台番号とを一緒に出力する台番号／遊技状態出力手段と、
を有していることを特徴とする遊技台管理装置。
【請求項２】
前記無線リーダの制御部は、前記ＩＤ無線受信部によってＩＤが受信されない場合、ＩＤなしを表すデータを記憶部に記憶し、前記記憶部に記憶されているＩＤなしを表すデータを前記管理装置に送信するものであり、
前記管理装置は、前記無線リーダから前回ＩＤなしを表すデータが送信されていて、かつ前記無線リーダから今回ＩＤが送信された場合、今回送信されたＩＤに基づいて特定された遊技状態と前記台番号とを一緒に出力するものであることを特徴とする請求項１に記載の遊技台管理装置。
【請求項３】
前記無線リーダの前記ＩＤ無線受信部は、自己の設置対象の遊技台に隣り合う遊技台に前記表示プレートが取り付けられた場合に、隣り合う遊技台に取り付けられた表示プレートの前記ＩＤ無線送信手段から送信されたＩＤを無線受信可能であり、遊技台に取り付けられた表示プレートの前記ＩＤ無線送信手段から送信された１つのＩＤを複数の前記無線リーダの前記ＩＤ無線受信部が各々受信し、前記複数の無線リーダが前記管理装置に前記１つのＩＤを同時に送信し、前記管理装置が同じＩＤを同時に前記複数の無線リーダから受信した場合に、前記管理装置の前記台番号特定手段は、前記複数の無線リーダの各々の設置対象の遊技台の設置位置の中間位置に相当する遊技台に対して取り付けられた表示プレートであると判定し、前記中間位置に相当する遊技台の台番号と特定することを特徴とする請求項１又は２に記載の遊技台管理装置。
【請求項４】
前記無線リーダの制御部は、予め定められた所定時間の間、同じＩＤを受信した場合にのみ前記ＩＤを有効と判定し、有効と判定した場合に限り前記ＩＤを記憶部に記憶し、前記管理装置に前記ＩＤを送信するものであることを特徴とする請求項１乃至３のうちのいずれか１つに記載の遊技台管理装置。
【発明の詳細な説明】
【技術分野】
【０００１】
本発明は、遊技台管理装置に関する。
【背景技術】
【０００２】
従来より遊技店（ホール）においては、そのホールにおける独自の遊技ルールに基づいて遊技台の遊技状態を区別している。このような遊技台の遊技状態は、複数種類あって、例えば、「大当り」、「ラッキーナンバー」、「打止」、「食事中」等であり、ホールにはこれらの文字がそれぞれ記された表示プレートが用意されている。そして、係員はこれらの表示プレートを持ってホール内を巡回し、係員の判断により該当する遊技状態の遊技台があれば該当する遊技状態が記された表示プレートを遊技台上部（の島設備）に差し込んで遊技台を明確にしている。
【０００３】
始動入賞に基づき遊技領域に備えられた可変表示装置を変動させ、可変表示装置の停止結果が予め定められた特別態様である場合に、変動入賞装置を開放して遊技者に有利な大当り遊技状態を発生させる遊技機が従来より知られている。例えば、「大当り」の表示プレートは、大当り遊技状態となった遊技台に対して係員の判断により取り付けられ、大当り遊技状態が終了した遊技台に対して係員の判断により取り外される。
【０００４】
また、従来より遊技店における遊技ルールとして、特定の大当り図柄（例えば、「３」、「５」、「７」）を「ラッキーナンバー」とし、「ラッキーナンバー」での大当りに基づき、大当りにより獲得した遊技球をそのまま使用して遊技を許可するか、あるいは獲得球の景品交換を義務付けるかを決定する、いわゆるラッキーナンバー遊技営業が知られている。このようなラッキーナンバー遊技営業を行うホールでは、「ラッキーナンバー」と記された表示プレートを係員の判断で遊技台の上方部の島設備に取り付けてラッキーナンバー遊技中の遊技台を明確にしている。また、例えば、大当り図柄が「３」、「５」の場合はラッキーナンバー遊技を開始し、大当り図柄が「４」、「９」の場合にはラッキーナンバー遊技を終了とし、「ラッキーナンバー」の表示プレートを係員の判断で取り外し、獲得球の景品交換を義務付けるようにする場合などがある。
【発明の開示】
【発明が解決しようとする課題】
【０００５】
上述した従来の表示プレートによる遊技状態の表示では、管理装置に遊技状態についての信号が送信されていなかったため、表示プレートの取り付けまたは取り外しを行った係員が、直接マイク等で台番号及び遊技状態をオペレータに伝え、オペレータが管理装置に台番号と遊技状態とを入力していた。従って、必ずしも遊技状態がオペレータに伝わることにはならず、遊技台の遊技状態を正確に管理できなかった。
【０００６】
本発明の目的は、管理装置で遊技台の遊技状態を正確に管理でき、遊技台の遊技状態を遊技者、ホールの係員、管理装置のオペレータの３者が同時に正確に把握できる遊技台管理装置を提供することにある。
【課題を解決するための手段】
【０００７】
請求項１に係る遊技台管理装置は、複数の遊技台が並設された遊技設備と、前記複数の遊技台の各々に対応して取り付け並びに取り外しがなされるものであって、ホールにおける遊技ルールに基づいた前記遊技台の複数種類の遊技状態がそれぞれ記された複数の表示プレートと、前記遊技台の遊技状態を管理するための管理装置とを有するものであって、上記課題を解決するために、前記複数の表示プレートのそれぞれに１つずつ付設され、かつ各々が識別可能な固有のＩＤを有し、該ＩＤを無線送信するＩＤ無線送信手段と、前記複数の遊技台に対応付けして複数設置されると共に、前記ＩＤ無線送信手段から送信された前記ＩＤを無線受信可能であり、かつ前記管理装置に対してデータ通信可能に接続された無線リーダとを有し、前記無線リーダは、少なくとも自己の設置対象の遊技台に前記表示プレートが取り付けられた場合に、該表示プレートの前記ＩＤ無線送信手段から送信された前記ＩＤを無線受信するＩＤ無線受信部と、該ＩＤ無線受信部によって受信された前記ＩＤを記憶するための記憶部と、前記記憶部に記憶されているＩＤを前記管理装置に送信する制御部とを有し、前記管理装置は、前記ＩＤに対応付けて前記表示プレートに記された前記遊技状態を記憶させたＩＤ／遊技状態記憶テーブルと、前記無線リーダから送信された前記ＩＤに基づいて前記ＩＤ／遊技状態記憶テーブルから前記遊技状態を特定する遊技状態特定手段と、前記無線リーダの設置対象の遊技台の台番号と前記ＩＤとに基づいて、前記表示プレートが取り付けられた遊技台の台番号を特定する台番号特定手段と、前記遊技状態特定手段によって特定された前記遊技状態と前記台番号特定手段によって特定された台番号とを一緒に出力する台番号／遊技状態出力手段と、を有していることを特徴とする。
【０００８】
請求項２に係る遊技台管理装置は、請求項１に係る遊技台管理装置において、前記無線リーダの制御部は、前記ＩＤ無線受信部によってＩＤが受信されない場合、ＩＤなしを表すデータを記憶部に記憶し、前記記憶部に記憶されているＩＤなしを表すデータを前記管理装置に送信するものであり、前記管理装置は、前記無線リーダから前回ＩＤなしを表すデータが送信されていて、かつ前記無線リーダから今回ＩＤが送信された場合、今回送信されたＩＤに基づいて特定された遊技状態と前記台番号とを一緒に出力するものであることを特徴とするものである。
【０００９】
請求項３に係る遊技台管理装置は、請求項１又は２に係る遊技台管理装置において、前記無線リーダの前記ＩＤ無線受信部は、自己の設置対象の遊技台に隣り合う遊技台に前記表示プレートが取り付けられた場合に、隣り合う遊技台に取り付けられた表示プレートの前記ＩＤ無線送信手段から送信されたＩＤを無線受信可能であり、遊技台に取り付けられた表示プレートの前記ＩＤ無線送信手段から送信された１つのＩＤを複数の前記無線リーダの前記ＩＤ無線受信部が各々受信し、前記複数の無線リーダが前記管理装置に前記１つのＩＤを同時に送信し、前記管理装置が同じＩＤを同時に前記複数の無線リーダから受信した場合に、前記管理装置の前記台番号特定手段は、前記複数の無線リーダの各々の設置対象の遊技台の設置位置の中間位置に相当する遊技台に対して取り付けられた表示プレートであると判定し、前記中間位置に相当する遊技台の台番号と特定することを特徴とするものである。
【００１０】
請求項４に係る遊技台管理装置は、請求項１乃至３に係る遊技台管理装置において、前記無線リーダの制御部は、予め定められた所定時間の間、連続して同じＩＤを受信した場合にのみ前記ＩＤを有効と判定し、有効と判定した場合に限り前記ＩＤを記憶部に記憶し、前記管理装置に前記ＩＤを送信することを特徴とするものである。
【発明の効果】
【００１１】
請求項１に係る遊技台管理装置によれば、管理装置で遊技台の遊技状態を正確に管理でき、遊技台の遊技状態を遊技者、ホールの係員、管理装置のオペレータの３者が同時に遊技台の遊技状態を正確に把握できる。
【００１２】
請求項２に係る遊技台管理装置によれば、遊技台に対して表示プレートが取り付けられた時のように、遊技台の遊技状態が変化した場合に、遊技台の遊技状態の変化をリアルタイムで正確に把握できる。
【００１３】
請求項３に係る遊技台管理装置によれば、どの遊技台に対して表示プレートが取り付けられているのかを正しく判定することができ、遊技台１台毎に無線リーダ１つを設置しなくてもよく、遊技台に対して設置する無線リーダの設置台数を削減することができる。
【００１４】
請求項４に係る遊技台管理装置によれば、ホール内を巡回移動している店員が所持している表示プレートのＩＤを受信しても、誤ったＩＤを管理装置に送信してしまうことを回避でき、遊技台の遊技状態についての管理データの信頼性を向上させることができる。
【発明を実施するための最良の形態】
【００１５】
以下、本発明の実施の形態を図面を参照して説明する。図１は、本発明の実施形態に係る遊技台管理装置１の要部ブロック図である。ホール内には、複数の遊技台２、２、…が並設されて遊技設備（図１では代表して１つのみ図示しているが、実際には多数の遊技設備がホールに配置されている）が構成されている。また、遊技設備には、複数の遊技台２、２、…に対応付けして複数の無線リーダ３、３、…が設置されている。なお、以下に説明する第１実施形態では、無線リーダ３、３、…は各遊技台２、２、…に対応して１つずつ設けられている。一方、ホールの管理室には管理装置４が配設されている。管理装置４は、伝送路（例えば、ＬＡＮ）５を通じて各無線リーダ３、３、…に接続され、相互にデータの授受が行われるようになっている。
【００１６】
管理装置４は、従来の管理装置と同一であり、詳細な説明は省略する。管理装置４は、ＣＰＵ、ＲＯＭ及びＲＡＭよりなるメモリ、通信インタフェースを備えた制御部、ＣＲＴ或いは液晶パネル等からなる表示画面を有する表示装置、操作入力のためのキーボード装置及びマウスで構成された手動入力部、プリンタ、音声合成によって店内放送を行うための店内放送装置及びデータ記憶用の記憶装置等を含んで構成されている。管理装置４はホールの遊技設備に設置された多数の遊技台２、２、…に対して設けられた無線リーダ３、３、…から必要なデータ（後述するＩＤ、ＩＤなしデータ等）を受信して各遊技台の各種遊技状態を特定し、特定した各遊技台の遊技状態を表示装置の表示画面に表示させたり、店内放送装置を介して各遊技台の遊技状態を店内放送したりする。
【００１７】
また、管理装置４は、従来と同様、ホールの遊技設備に設置された多数の遊技台２、２、…から必要なデータを収集して各種遊技状態に対応するデータを整理し、整理したデータを表示装置の表示画面に表示させたり、各遊技台の動作状態を監視したりする。また、手動入力部を操作して遊技種類別、機種別、島単位別等に大当りデータ、賞球データ等を収集したりする。また、店内放送装置は、前記制御部からの信号に基づいて大当り情報やラッキーナンバー情報を店内の所定箇所に配置されたスピーカから放送する。また、管理装置４は記憶装置に毎日のデータを記憶させており、記憶装置に記憶されたデータに基づいて過去の遊技状態データ等を収集し、必要に応じて過去の遊技状態データを呼び出したり、稼働データを処理したりすることができる。
【００１８】
ところで、ホールでは、そのホールにおける独自の遊技ルールに基づいて決めた遊技台の遊技状態を区別している。斯る遊技台の遊技状態とは、例えば、「大当り」、「ラッキーナンバー」、「打止」、「食事中」等のように複数種類ある。ホールにはこれらの文字がそれぞれ記されたプラスチック製の表示プレートが用意されている。例えば、「大当り」とは、遊技台が、始動入賞に基づき遊技領域に備えられた可変表示装置を変動させ、可変表示装置の停止結果が予め定められた特別態様である場合に、変動入賞装置を開放して遊技者に有利な大当り遊技状態となったものをいう。「ラッキーナンバー」とは、特定の大当り図柄（例えば、「３」、「５」、「７」）を「ラッキーナンバー」とし、「ラッキーナンバー」での大当りに基づき、大当りにより獲得した遊技球をそのまま使用して遊技を許可されているものをいう。「打止」とは、出玉がホールが予め決めた個数に達し、その遊技台での遊技を客に行わせない状態であることをいう。「食事中」とは、遊技客が係員に対して遊技を中断して外出することを申し出て、係員がこれを認めた場合に、客が遊技していた遊技台を「食事中」として扱うことをいう。そして、係員はこれらの表示プレートを持ってホール内を巡回し、係員の判断により該当する遊技状態の遊技台があれば該当する遊技状態が記された表示プレートを遊技台の上部に差し込んでその遊技台を明確にしている。また、係員の判断により該当する遊技状態が終了していれば、該当する遊技状態が記された表示プレートは遊技台から取り外される。
【００１９】
図２は、本発明において使用する表示プレート６を示す図である。上述のように表示プレート６は、遊技台の遊技状態として、「大当り」、「ラッキーナンバー」、「打止」、「食事中」の文字が記された４種類の表示プレートがある。符号６ａは「大当り」表示プレート、符号６ｂは「ラッキーナンバー」表示プレート、符号６ｃは「打止」表示プレート、符号６ｄは「食事中」表示プレートである。各表示プレート６ａ〜６ｄは、各種類において多数枚用意されている。各表示プレート６ａ〜６ｄには、各々が識別可能な固有のＩＤを無線送信するＲＦＩＤ（Ｒａｄｉｏ  Ｆｒｅｑｕｅｎｃｙ  Ｉｄｅｎｔｉｆｉｃａｔｉｏｎ）７（ＩＤタグともいう）が１つずつ付設されている。なお、ＲＦＩＤ７により、請求項１に記載のＩＤ無線送信手段が構成されている。
【００２０】
一方、管理装置４のメモリには、表示プレート６に付設された各ＲＦＩＤ７の固有のＩＤに対応付けて表示プレート６に記された前記遊技状態を記憶させたＩＤ／遊技状態記憶テーブルが格納されている。図３は、管理装置４に設けられたＩＤ／遊技状態記憶テーブルの一態様を示す図である。この例では、「大当り」の文字が表示されている表示プレートには、ＩＤがＰ０００００〜Ｐ００９９９であるＲＦＩＤが付設されている。また、「ラッキーナンバー」の文字が表示されている表示プレートには、ＩＤがＰ０１０００〜Ｐ０１９９９であるＲＦＩＤが付設されている。「打止」の文字が表示されている表示プレートには、ＩＤがＰ０９０００〜Ｐ０９９９９であるＲＦＩＤが付設され、「食事中」の文字が表示されている表示プレートには、ＩＤがＱ０１０００〜Ｑ０１９９９であるＲＦＩＤが付設されている。上記説明からも明らかなように、表示プレートに記されている遊技状態が同じものが数十枚あるが（仮に、ラッキーナンバーと記されている表示プレートが１００枚あるものとするが）、遊技状態の表示が同じであってもＲＦＩＤのＩＤはプレート毎に異なる。
【００２１】
図４は、表示プレート６に付設されたＲＦＩＤ７及び遊技台２に設けられた無線リーダ３のブロック図である。まず、ＲＦＩＤ７は、無線リーダ３との間で無線による電源を発生させるための電波の受信と必要データを無線リーダ３に送信を行うためのアンテナ８、データを搬送波に乗せて送信を行うための無線通信部９、受信した電波を基に回路電源を発生させる電源部１０、通信内容の制御を行う制御部１１、固有のＩＤが格納されている記憶部１２を備えている。
【００２２】
無線リーダ３は、ＲＦＩＤ７（ＩＣタグ）との間で無線による電源を発生させるための電波の送信とＲＦＩＤ７から送信されたＩＤの受信を行うためのアンテナ１３、搬送波の生成や受信したＩＤを取り込むための無線通信部（請求項１に記載のＩＤ無線受信部）１４、受信したＩＤの有効性の判定やＩＤの識別、管理装置４とのデータ通信処理等の処理を行うための制御部１５、無線リーダ３の自己の識別情報が格納記憶されると共に、受信したＲＦＩＤ７のＩＤや必要データを記憶するための記憶部（ＲＯＭ及びＲＡＭ）１６、管理装置４との間でデータ通信を行うための通信インターフェース等で構成された有線通信部１７、電源部１８を備えている。
【００２３】
無線リーダ３とＲＦＩＤ７との通信手順は次の通りである。無線リーダ３のアンテナ１３から電源発生のための電波を送信する。ＲＦＩＤ７のアンテナ８が無線リーダ３から送られた電波を受信する。アンテナ８の共振作用により電源部１０にて起電力が発生し、回路が起動する。制御部１１は、記憶部１２からＩＤを読み出して無線通信部９に出力する。無線通信部９は搬送波にＩＤを乗せてアンテナ８から無線リーダ３に送信する。無線リーダ３は、アンテナ１３で送信されたＩＤを受信し、無線通信部１４を通じて受信したＩＤを取り込む。無線リーダ３の制御部１５は、取り込んだＩＤの有効性等の判定を行って有効であれば記憶部１６にＩＤを記憶する。
【００２４】
図５は、各遊技台に無線リーダを１つずつ設置した第１実施形態の遊技設備の平面図であり、図６は、図５において遊技台に対応して遊技台上部等に差し込まれた表示プレートに対して各無線リーダによって受信されたＩＤを示す図である。各遊技台には各々台番号が決められている。表示プレート６が遊技台の上部に差し込まれた場合、該表示プレート６のＲＦＩＤ７の固有のＩＤが無線リーダ３により受信される。無線リーダ３は、ＲＦＩＤ７のＩＤを受信すると、受信したＩＤを記憶すると共に管理装置４に当該ＩＤを送信する。なお、この第１実施形態では、無線リーダＡ、Ｂ、Ｃ、Ｄ、Ｅ…は各遊技台、１番台、２番台、３番台、４番台、５番台…に対応して１つずつ設けられている。管理装置４は、各無線リーダ３を１つ毎に識別可能とするべく台番号に相当してリーダ番号を付与する。第１実施形態においては、１台の遊技台に対して無線リーダ３は１つであるので、台番号をリーダ番号としてそのまま用いる。
【００２５】
図４において、無線リーダ３の制御部１５は、管理装置４からのＩＤ送信要求指令があると、記憶部１６に記憶されているＩＤを有線通信部１７を介して管理装置４に送信する。管理装置４は、ＩＤ送信要求指令した無線リーダ３から送られたＩＤを受信すると、該ＩＤを記憶し、無線リーダ３のリーダ番号から台番号を特定する。したがって、台番号の遊技機が、どのような遊技状態であるのかを特定することができる。例えば、図５の３番台に対応した無線リーダ「Ｃ」からＩＤ「Ｑ０１００９」が送られたのであれば（図６参照）、３番台には、現在、「食事中」と表示されたプレートが取り付けられており、食事中であることが認識できる。
【００２６】
管理装置４における遊技状態の出力の仕方としては、図９に示すように一覧表示してもよいし、指定した表示プレート（例えば、「打止」）が、取り付けられた遊技台の台番号を表示してもよい。また、遊技台に取り付いた表示プレートに記されている遊技状態を店内放送をすることもできる。例えば、２番台に「ラッキーナンバー」の表示プレートが取り付けられた場合、２番台に対応した無線リーダ「Ｂ」からＩＤ「Ｐ０１００１」が送られたことを管理装置４が特定し、応じて「２番台、ラッキーナンバー、スタート」と音声合成により店内放送するようにしてもよい。さらに、上記のような各遊技機の状態をリアルタイムで把握するのみでなく、各遊技機において、どの時間にどのプレートが付いていたかの履歴情報を記憶させておくことで、過去に遡って、各遊技台の状況を把握することができる。
【００２７】
以上に述べた無線リーダ３と管理装置４とによるＲＦＩＤ７からのＩＤ無線送信に応じた遊技台の遊技状態の出力に関する処理を説明する。第１実施形態においては、図５に示すように、遊技台１台毎に無線リーダがあり、無線リーダの無線通信範囲が狭く、表示プレート６を差し込んだ遊技台に対応する無線リーダ１つのみが、差し込んだ表示プレート６のＲＦＩＤから送信されたＩＤを受信する構成としたものである。従って、無線リーダが受信するＩＤは１つに限られる。例えば、図５及び図６においては、２番台に取り付けられた表示プレートにより、２番台に対応した無線リーダ「Ｂ」でＩＤ「Ｐ０１００１」が受信され、３番台に取り付けられた表示プレートにより、３番台に対応した無線リーダ「Ｃ」でＩＤ「Ｑ０１００９」が受信され、４番台に取り付けられた表示プレートにより、４番台に対応した無線リーダ「Ｄ」でＩＤ「Ｐ０００１０」が受信された例を示している。
【００２８】
図１０は、第１実施形態において無線リーダ３の制御部１５が実行するＩＤ検知送信処理のフローチャートである。無線リーダ３の制御部１５は、ＩＤ検知送信処理を開始すると、まず、ＩＤを受信するタイミングであるか否かを判断する（ステップＡ０１）。ここで、ＩＤを受信するタイミングとは、予め定められた受信タイミングであり、例えば、０．１秒毎にＩＤの受信処理を行うものとする。ＩＤを受信するタイミングでなければステップＡ０５にジャンプする。
【００２９】
一方、ＩＤを受信するタイミングである場合、受信バッファを０クリアし（ステップＡ０２）、受信バッファにＩＤを受信する（ステップＡ０３）。当該無線リーダが設置されている遊技台に対応して表示プレートが差し込まれた場合、表示プレートのＲＦＩＤから送信されたＩＤが当該無線リーダの無線通信部１４により無線受信されて受信バッファに取り込まれる。一方、当該無線リーダが設置されている遊技台に対応して表示プレートが差し込まれていない場合、ステップＡ０３においてＩＤの受信処理を行っても何も受信されないため、受信バッファに取り込まれる値はなく、受信バッファは０クリアされているままである。請求項２に記載されている「ＩＤなしを表すデータ」は、本明細書では値「０」としている。
【００３０】
ステップＡ０３でＩＤの受信処理を行うと、ステップＡ０４に進み、受信バッファの内容を図４の記憶部１６の一部に設定されたＩＤ記憶部に記憶する（ステップＡ０４）。従って、例えば、当該無線リーダが図５の２番台に設置されたものである場合には、図６に示すように、ＩＤ記憶部にＩＤ「Ｐ０１００１」が記憶される。また、例えば、当該無線リーダが図５の１番台に設置されたものである場合には、図６に示すように、ＩＤ記憶部にＩＤなしを表すデータ「０」が記憶される。
【００３１】
ステップＡ０４を行うと、ステップＡ０５に進み、管理装置４からＩＤ送信要求指令が送られているか否かを判断する（ステップＡ０５）。管理装置４からＩＤ送信要求指令が送られていない場合、制御部１５は、今回のＩＤ検知送信処理を終了する。一方、管理装置４からＩＤ送信要求指令が送られてきている場合、制御部１５は、ＩＤ記憶部に記憶されているＩＤデータを送信バッファにセットし（ステップＡ０６）、送信バッファにセットしたＩＤデータを管理装置４に送信し（ステップＡ０７）、今回のＩＤ検知送信処理を終了する。
【００３２】
以上により、自己の設置対象の遊技台２に表示プレート６が取り付けられた場合には、該表示プレート６のＲＦＩＤ７から送信されたＩＤが無線受信される。無線リーダ３の制御部１５は、受信されたＩＤをＩＤ記憶部に記憶し、ＩＤ記憶部に記憶されているＩＤを管理装置４に送信する。一方、自己の設置対象の遊技台２に表示プレート６が取り付けられていない場合、ＩＤが受信されることはなく、無線リーダの制御部１５は、ＩＤなしを表すデータ「０」をＩＤ記憶部に記憶し、ＩＤ記憶部に記憶されているＩＤなしを表すデータ「０」を管理装置４に送信する。
【００３３】
図１１は、第１実施形態において管理装置４の制御部のＣＰＵ（以下、単にＣＰＵという）が実行する無線リーダからのＩＤ送信に応じた遊技台の遊技状態の出力に関する処理のメインルーチンを示すフローチャートである。当該処理のメインルーチンを開始すると、ＣＰＵは、まず、無線リーダとの通信タイミングであるか否かを判断する（ステップＳ０１）。ここで、無線リーダとの通信タイミングとは、予め設定された通信タイミングであり、例えば、１秒毎に、ホールの全無線リーダに対してＩＤの受信のための通信処理と、新たに取り付けられた表示プレートの検出処理を行うものとする。無線リーダとの通信タイミングでなければ、ステップＳ０１を偽と判定してステップＳ０４にジャンプする。
【００３４】
一方、無線リーダとの通信タイミングである場合、ＣＰＵは、ステップＳ０１を真と判定し、全無線リーダとの通信処理を行い（ステップＳ０２）、次いで、新たなプレートの検出処理を行い（ステップＳ０３）、ステップＳ０４に進む。ステップＳ０４においては、プレート状態の表示要求があるか否かを判断する（ステップＳ０４）。プレート状態の表示要求は、オペレータが管理装置４の手動入力部（図示せず）を介して行うものである。プレート状態の表示要求がなければ、ステップＳ０４を偽と判定し、ステップＳ０１に戻る。プレート状態の表示要求があれば、ステップＳ０４を真と判定し、プレート状態の表示処理を行い（ステップＳ０５）、プレート状態の表示処理を終えるとステップＳ０１に戻る。ＣＰＵは、以上に述べた処理ルーチンを繰り返す。
【００３５】
図１２は、第１実施形態において管理装置４のＣＰＵが実行する全無線リーダとの通信処理のサブルーチンを示すフローチャートである。なお、全無線リーダとの通信処理は、管理装置４がポーリングにて、各無線リーダが受信したＩＤを受信する処理である。全無線リーダとの通信処理を開始すると、まず、ＣＰＵは、無線リーダを指定するためのリーダ番号レジスタＩに無線リーダの先頭番号をセットする（ステップＳ２１）。先に述べたように、第１実施形態においては、１台の遊技台に対して１つの無線リーダが対応付けられているので、遊技台の台番号を無線リーダのリーダ番号としてそのまま用いる。なお、本実施形態では、遊技台は１番台（台番号００１）〜Ｎ番台（台番号Ｎ）までのＮ台あるものとする。したがって、本実施形態では無線リーダの先頭番号は「００１」である。
【００３６】
次いで、Ｉ番台の無線リーダの今回ＩＤデータＤ（Ｉ）の内容を前回ＩＤデータＢ（Ｉ）に転送する（ステップＳ２２）。図１３は、管理装置４のメモリに設定されている台番号００１〜台番号Ｎまでの無線リーダの今回ＩＤデータと前回ＩＤデータの記憶部を示す図である。
【００３７】
次に、Ｉ番台の無線リーダにＩＤ送信要求指令を送信し（ステップＳ２３）、Ｉ番台の無線リーダから送信データ（ＩＤデータ）が送られてきたか否かを判定する（ステップＳ２４）。ＣＰＵは、Ｉ番台の無線リーダから送信データが送られてくるまで、ステップＳ２３、ステップＳ２４を偽と判定する処理ルーチンを繰り返す。ＩＤ送信要求指令に応じてＩ番台の無線リーダから送信データが送られてくると、ステップＳ２４を真と判定し、Ｉ番台の無線リーダからのＩＤデータを、Ｉ番台の無線リーダの今回ＩＤデータに記憶する（ステップＳ２５）。Ｉ番台の遊技台に対応して表示プレートが取り付けられていれば、先の説明のようにＩ番台の無線リーダからＩＤが送信されてくるので、このＩＤがＩ番台の無線リーダの今回ＩＤデータに記憶される。また、Ｉ番台の遊技台に対応して表示プレートが取り付けられていなければ、Ｉ番台の無線リーダからＩＤなしを表すデータ「０」が送信されてくるので、ＩＤなしを表すデータ「０」がＩ番台の無線リーダの今回ＩＤデータに記憶される。
【００３８】
ステップＳ２５の処理を終えると、ＣＰＵは、リーダ番号レジスタＩのリーダ番号を１つアップする（ステップＳ２６）。次いで、更新アップしたリーダ番号レジスタＩのリーダ番号が無線リーダの最終番号（この実施形態ではＮ）を超えたか否かを判定し（ステップＳ２７）、リーダ番号レジスタＩのリーダ番号が最終番号Ｎを超えていなければ、ステップＳ２２に戻り、更新アップしたリーダ番号で指定される次の遊技台の無線リーダに対して、上記と同様の処理を行う。ＣＰＵは、以上の処理ルーチンを繰り返すことで、最終番号（Ｎ番台）の無線リーダまでの今回のＩＤデータを順次受信して記憶していく。リーダ番号レジスタＩのリーダ番号が最終番号Ｎを超えると、ステップＳ２７を真と判定し、当該サブルーチンを抜けて図１１のメインルーチンに戻る。
【００３９】
図１４は、第１実施形態において管理装置４のＣＰＵが実行する新たなプレートの検出処理のサブルーチンを示すフローチャートである。新たなプレートの検出処理において、全無線リーダとの通信処理にて更新した今回ＩＤデータと前回ＩＤデータとから、新たに表示プレートが取り付けられた遊技台を検出し、新たに取り付けられた表示プレートが「ラッキーナンバー」表示プレートである遊技台に関して店内放送する。なお、新たに表示プレートが取り付けられたという判断は、Ｉ番台の無線リーダについて、前回は表示プレートが付いておらず（即ち、前回ＩＤデータがＩＤなしを表すデータ「０」であり）、かつ今回Ｄ（Ｉ）というＩＤの表示プレートが付いた（今回ＩＤデータＤ（Ｉ）としてＩＤがあり、０ではない）場合である。
【００４０】
新たなプレートの検出処理を開始すると、まず、ＣＰＵは、無線リーダを指定するためのリーダ番号レジスタＩに無線リーダの先頭番号をセットする（ステップＳ３１）。次いで、ＣＰＵは、Ｉ番台の無線リーダの前回ＩＤデータＢ（Ｉ）が「０（ＩＤなし）」であるか否かを判別する（ステップＳ３２）。Ｉ番台の無線リーダの前回ＩＤデータＢ（Ｉ）が「０（ＩＤなし）」ではない場合、ステップＳ３２を偽と判定し、即ち、ＩＤが記憶されている場合、前回は表示プレートが付いていたことになるので、新規プレートが付いた可能性はないと判定し、ステップＳ３６にジャンプする。
【００４１】
一方、Ｉ番台の無線リーダの前回ＩＤデータＢ（Ｉ）が「０（ＩＤなし）」である場合、ステップＳ３２を真と判定し、即ち、ＩＤなしが記憶されている場合、前回は表示プレートが付いていなかったことになるので、今回新規プレートが付いた可能性があると判定し、ステップＳ３３に進む。次に、ＣＰＵは、Ｉ番台の無線リーダの今回ＩＤデータＤ（Ｉ）として「０（ＩＤなし）」が記憶されていないか否かを判定する（ステップＳ３３）。Ｉ番台の無線リーダの今回ＩＤデータＤ（Ｉ）として「０（ＩＤなし）」が記憶されている場合、今回は表示プレートが付いていないことになるので、ステップＳ３３を偽と判定し、ステップＳ３６にジャンプする。
【００４２】
一方、Ｉ番台の無線リーダの今回ＩＤデータＤ（Ｉ）として「０（ＩＤなし）」が記憶されていない場合、即ち、今回ＩＤデータＤ（Ｉ）としてＩＤの値が記憶されていることになり、ステップＳ３３を真と判別し、ステップＳ３４に進む。この場合には、Ｉ番台の無線リーダについて、前回ＩＤデータがＩＤなしを表すデータ「０」であり、かつ今回ＩＤデータとして実質的にＤ（Ｉ）というＩＤの表示プレートが付いたことになるため、今回新規プレートが付いたと判定し、ステップＳ３４に進む。
【００４３】
ステップＳ３４に進むと、Ｉ番台の無線リーダの今回ＩＤデータＤ（Ｉ）が「ラッキーナンバー」表示プレートのＩＤであるか否かを判定する（ステップＳ３４）。管理装置４のメモリに設定されているＩＤ／遊技状態記憶テーブルには、「ラッキーナンバー」表示プレートのＩＤは、「Ｐ０１０００」〜「Ｐ０１９９９」の範囲であることが記憶されている（図３参照）。ＣＰＵは、今回ＩＤデータＤ（Ｉ）のＩＤが「Ｐ０１０００」〜「Ｐ０１９９９」の範囲であるか否かを判定することにより、「ラッキーナンバー」表示プレートのＩＤであるか否かを判定する。Ｉ番台の無線リーダの今回ＩＤデータＤ（Ｉ）が「ラッキーナンバー」表示プレートのＩＤでない場合、ステップＳ３４を偽と判定し、ステップＳ３６にジャンプする。
【００４４】
今回ＩＤデータＤ（Ｉ）のＩＤが「Ｐ０１０００」〜「Ｐ０１９９９」の範囲である場合、Ｉ番台の遊技台に今回新たに「ラッキーナンバー」表示プレートが付いたことになり、ステップＳ３４を真と判定し、「Ｉ番台、ラッキーナンバー、スタート」と音声合成で出力し（ステップＳ３５）、ステップＳ３６に進む。従って、店内放送装置を通じて、店内の所定箇所に配置されたスピーカから「Ｉ番台、ラッキーナンバー、スタート」と店内放送される。
【００４５】
ステップＳ３６に進むと、ＣＰＵは、リーダ番号レジスタＩのリーダ番号を１つアップする（ステップＳ３６）。次いで、更新アップしたリーダ番号レジスタＩのリーダ番号が無線リーダの最終番号Ｎを超えたか否かを判定し（ステップＳ３７）、リーダ番号レジスタＩのリーダ番号が最終番号Ｎを超えていなければ、ステップＳ３２に戻り、更新アップしたリーダ番号で指定される次の遊技台の無線リーダの前回ＩＤデータＢ（Ｉ）及び今回ＩＤデータＤ（Ｉ）に関して、上記と同様の処理を行う。ＣＰＵは、以上の処理ルーチンを繰り返すことで、最終番号（Ｎ番台）の無線リーダまでの新たなプレートの検出と「ラッキーナンバー」表示プレートが新規に検出されたことに応じた店内放送を順次行っていく。リーダ番号レジスタＩのリーダ番号が最終番号Ｎを超えると、ステップＳ３７を真と判定し、当該サブルーチンを抜けて図１１のメインルーチンに戻る。
【００４６】
図１５は、第１実施形態において管理装置４のＣＰＵが実行するプレート状態の表示処理のサブルーチンを示すフローチャートである。プレート状態の表示処理において、全無線リーダとの通信処理にて更新した今回ＩＤデータから、表示プレートが取り付けられた遊技台を検出し、遊技台の台番号と表示プレートの表示内容とを一緒に表示画面に一覧表示する。
【００４７】
プレート状態の表示処理を開始すると、まず、ＣＰＵは、無線リーダを指定するためのリーダ番号レジスタＩに無線リーダの先頭番号をセットする（ステップＳ４１）。次いで、ＣＰＵは、Ｉ番台の無線リーダの今回ＩＤデータＤ（Ｉ）が「０（ＩＤなし）」であるか否かを判別する（ステップＳ４２）。Ｉ番台の無線リーダの今回ＩＤデータＤ（Ｉ）が「０（ＩＤなし）」である場合、ステップＳ４２を真と判定し、即ち、ＩＤが記憶されていない場合、今回は表示プレートが付いていないことになるので、表示する必要はないと判定し、ステップＳ４５にジャンプする。
【００４８】
一方、Ｉ番台の無線リーダの今回ＩＤデータＤ（Ｉ）が「０（ＩＤなし）」でない場合、ステップＳ４２を偽と判定し、即ち、実質的にＩＤが記憶されている場合、今回表示プレートが付いていることになるので、表示プレートに記されている遊技状態を表示する必要があると判定し、ステップＳ４３に進む。次に、ＣＰＵは、Ｉ番台の無線リーダの今回ＩＤデータＤ（Ｉ）に対応する表示プレートの表示内容をＩＤ／遊技状態記憶テーブルから読み出す（ステップＳ４３）。
【００４９】
図３に示すように、管理装置４のメモリに設定されているＩＤ／遊技状態記憶テーブルには、「大当り」表示プレートのＩＤは「Ｐ０００００」〜「Ｐ００９９９」の範囲であり、「ラッキーナンバー」表示プレートのＩＤは「Ｐ０１０００」〜「Ｐ０１９９９」の範囲であり、「打止」表示プレートのＩＤは「Ｐ０９０００」〜「Ｐ０９９９９」の範囲であり、「食事中」表示プレートのＩＤは「Ｑ０１０００」〜「Ｑ０１９９９」の範囲であることが記憶されている。ＣＰＵは、今回ＩＤデータＤ（Ｉ）のＩＤに対応する表示プレートの表示内容を読み出すと、Ｉ番台及びプレートの表示内容を図９に示すような一覧表示画面の所定の表示箇所に表示し（ステップＳ４４）、ステップＳ４５に進む。
【００５０】
ステップＳ４５に進むと、ＣＰＵは、リーダ番号レジスタＩのリーダ番号を１つアップする（ステップＳ４５）。次いで、更新アップしたリーダ番号レジスタＩのリーダ番号が無線リーダの最終番号Ｎを超えたか否かを判定し（ステップＳ４６）、リーダ番号レジスタＩのリーダ番号が最終番号Ｎを超えていなければ、ステップＳ４２に戻り、更新アップしたリーダ番号で指定される次の遊技台の無線リーダの今回ＩＤデータＤ（Ｉ）に関して、上記と同様の処理を行う。ＣＰＵは、以上の処理ルーチンを繰り返すことで、最終番号（Ｎ番台）の無線リーダまでの今回ＩＤデータＤ（Ｉ）のプレート状態の表示を順次行っていく。リーダ番号レジスタＩのリーダ番号が最終番号Ｎを超えると、ステップＳ４６を真と判定し、当該サブルーチンを抜けて図１１のメインルーチンに戻る。
【００５１】
以上に説明した第１実施形態では、無線リーダ３、３、…は各遊技台２、２、…１台に対応して１つずつ設けられていたが、無線リーダの設置台数が遊技台の台数分必要となる。そこで、以下に説明する本発明の第２実施形態では、無線リーダ３の設置台数を減らすことを主目的としている。
【００５２】
図７は、第２実施形態の遊技設備の平面図であり、図８は、図６において遊技台に対応して差し込まれた表示プレートに対して各無線リーダによって受信されたＩＤを示す図である。図７に示すように、無線リーダ３は、複数の遊技台２、２、…が１列に並設されてなる遊技設備において、遊技台１台おきに設置される。また、遊技設備の両端の遊技台に対しては無線リーダ３を設置するようにする。図７に示す具体例では、１番台〜５番台の５台で遊技設備が構成されており、遊技設備の両端となる遊技台、すなわち、１番台と５番台の遊技台に無線リーダ３（無線リーダＡ、無線リーダＥ）が設置され、１番台と５番台の遊技台に対して１台おきとなる３番台の遊技台に無線リーダ３（無線リーダＣ）が設置されている。したがって、１番台と３番台の遊技台の間の２番台の遊技台、３番台と５番台の遊技台の間の４番台の遊技台には、無線リーダ３は設置されていない。
【００５３】
上述の第２実施形態の遊技設備において、各遊技台に対応して取り付けられた表示プレート６のＩＤを無線リーダ３が受信するために、無線リーダ３は無線受信範囲（ＩＤ受信範囲）が広く設定されている。図７に示すように、無線リーダ３のＩＤ無線通信部１４は、自己の設置対象の遊技台に隣り合う遊技台に表示プレート６が取り付けられた場合に、隣り合う遊技台に取り付けられた表示プレート６のＲＦＩＤ７から送信されたＩＤを無線受信可能に設定されている。例えば、３番台の遊技台に設置された無線リーダＣは、自己の設置対象の３番台の遊技台に表示プレート６が取り付けられた場合に取り付けられた表示プレート６のＲＦＩＤ７から送信されたＩＤを無線受信できるだけでなく、自己の設置対象の遊技台に隣り合う２番台の遊技台並びに４番台の遊技台に表示プレート６が取り付けられた場合にも、隣り合う遊技台に取り付けられた表示プレート６のＲＦＩＤ７から送信されたＩＤを無線受信可能に設定されている。
【００５４】
従って、無線リーダ３が受信するＩＤは１つに限らず複数となる。例えば、図７では、２番台の遊技台と３番台の遊技台にそれぞれ表示プレート６が取り付けられている。２番台に取り付けられている表示プレート６のＩＤが「Ｐ０１００１」であるとし、３番台に取り付けられている表示プレート６のＩＤが「Ｑ０１００９」であるとする。この場合、図８示すように、１番台の遊技台に設置された無線リーダＡによって隣の２番台の遊技台（無線リーダの設置なし）に取り付けられた表示プレート６のＩＤ「Ｐ０１００１」が受信される。同じく、３番台の遊技台に設置された無線リーダＣによって隣の２番台の遊技台（無線リーダの設置なし）に取り付けられた表示プレート６のＩＤ「Ｐ０１００１」が受信される。３番台の遊技台に取り付けられた表示プレート６のＩＤ「Ｑ０１００９」は、３番台の遊技台に設置された無線リーダＣのみによって受信される。
【００５５】
このように、無線リーダ３は、ＩＤ受信範囲内に存在する全てのＲＦＩＤ７のＩＤを受信可能である。なお、無線リーダ３とＩＤ受信範囲内に存在する全てのＲＦＩＤ７とのアクセス方式は、種々考えられるが、例えば、ＩＤ受信範囲内にＩＤ「Ｐ０１００１」、ＩＤ「Ｐ０１００２」、ＩＤ「Ｐ０１００３」の３つのＩＤが存在するものとする。無線リーダ３は、最初にＩＤ送信要求をＩＤ受信範囲内に存在する全てのＲＦＩＤ７に対して送信する。これに応じて、ＩＤ受信範囲内に存在する全ての（３つの）ＲＦＩＤ７が自己のＩＤを同時に送信する。このとき、無線リーダ３に最初にＩＤ「Ｐ０１００１」が受信されたものとすると、次に、無線リーダ３は、ＩＤ送信要求をＩＤ「Ｐ０１００１」以外という条件付きでＩＤ受信範囲内に存在する２つのＲＦＩＤ７に対して送信する。これに応じて、ＩＤ受信範囲内に存在する残る２つのＲＦＩＤ７が自己のＩＤを送信する。このとき、無線リーダ３にＩＤ「Ｐ０１００２」が受信されたものとすると、次に、無線リーダ３は、ＩＤ送信要求をＩＤ「Ｐ０１００１」、ＩＤ「Ｐ０１００２」以外という条件付きでＩＤ受信範囲内に存在する１つのＲＦＩＤ７に対して送信する。これに応じて、ＩＤ受信範囲内に存在する残る１つのＲＦＩＤ７が自己のＩＤを送信する。このとき、無線リーダ３にＩＤ「Ｐ０１００３」が受信されたものとすると、次に、無線リーダ３は、ＩＤ送信要求をＩＤ「Ｐ０１００１」、ＩＤ「Ｐ０１００２」、ＩＤ「Ｐ０１００３」以外という条件付きでＩＤ受信範囲内に存在する（実際は存在しない）ＲＦＩＤ７に対して送信する。このとき、無線リーダ３にＩＤが受信されなければ、ＩＤ受信範囲内に存在する全てのＲＦＩＤ７のＩＤが受信されたものとみなし、ＩＤの受信を終了する。
【００５６】
ここで、第２実施形態において、管理装置４において各無線リーダ３を識別するために用いるリーダ番号について説明する。図７に示すように、無線リーダ３が設置されている遊技台と設置されていない遊技台がある場合、無線リーダが設置されていない遊技台に後から無線リーダを設置しても管理がしやすいように、設置されている無線リーダのリーダ番号を遊技台の台番号に対応させ（台番号と同じ番号とし）、設置されていない遊技台分のリーダ番号を欠番としておく。図７の例では、リーダ番号「００１」、「００３」、「００５」の無線リーダは存在するが、リーダ番号「００２」、「００４」の無線リーダは存在せず、管理装置４の各処理においてリーダ番号「００２」、「００４」は欠番扱いとなる。
【００５７】
以上に述べた第２実施形態の無線リーダ３と管理装置４とによるＲＦＩＤ７からのＩＤ無線送信に応じた遊技台の遊技状態の出力に関する処理を説明する。図１６乃至図１９は、第２実施形態において無線リーダ３の制御部１５が実行するＩＤ検知送信処理のフローチャートである。第２実施形態におけるＩＤ検知送信処理は、予め定められた所定時間の間（この実施形態では、例えば、１分間）、同じＩＤを受信した場合にのみ該ＩＤを有効と判定し、有効と判定した場合に限り前記ＩＤを記憶部１６に記憶し、管理装置４にＩＤを送信する処理である。
【００５８】
また、図７に示すように、３番台の遊技台に設置された無線リーダＣの場合、２番台、３番台、４番台にそれぞれ表示プレート６が取り付けられている可能性があり、その場合には、最高で３つのＩＤが受信されることになるのであるが、ＩＤの受信範囲を広げたことにより、ホールの店員が表示プレートを携帯して移動している場合にも、店員が携帯している表示プレートから送信されるＩＤを受信することになる。したがって、店員が携帯している表示プレートから送信されるＩＤを無効と判定し、遊技台に取り付けられている表示プレートのＩＤのみ有効と判定するものである。
【００５９】
図２０は、第２実施形態の無線リーダ３の記憶部１６に設定されている今回ＩＤデータの記憶部を示す図である。今回ＩＤデータの記憶部には今回受信された複数のＩＤが順番に記憶される。この実施形態では、今回ＩＤデータの記憶部は６個設けられている。なお、６個の今回ＩＤデータをＭ（１）〜Ｍ（６）で表すものとする。
【００６０】
無線リーダ３の制御部１５は、ＩＤ検知送信処理を開始すると、まず、ＩＤを受信するタイミングであるか否かを判断する（ステップＡ１１）。ここで、ＩＤを受信するタイミングとは、予め定められた受信タイミングであり、例えば、６．０秒毎にＩＤの受信処理を行うものとする。ＩＤを受信するタイミングでなければステップＡ５０にジャンプする。
【００６１】
一方、ＩＤを受信するタイミングである場合、ステップＡ１２に進み、受信バッファを０クリアし（ステップＡ１２）、今回ＩＤデータＭ（１）〜Ｍ（６）の内容を全て０クリアする（ステップＡ１３）。次いで、今回ＩＤデータの書込場所を指定するためにポインタＰ１に初期値「１」をセットし（ステップＡ１４）、ステップＡ１５に進んで受信バッファにＩＤを受信する（ステップＡ１５）。
【００６２】
当該無線リーダのＩＤ受信範囲内に表示プレートが存在する場合、例えば、当該無線リーダが設置されている遊技台あるいは当該遊技台の隣の遊技台に対応して表示プレートが差し込まれた場合、店員が携帯している表示プレートがＩＤ受信範囲内にある場合にも表示プレートから送信されるＩＤを受信することになる。すなわち、表示プレートのＲＦＩＤから送信されたＩＤが当該無線リーダの無線通信部１４により無線受信されて受信バッファに取り込まれる。一方、当該無線リーダのＩＤ受信範囲内に表示プレートが存在しない場合、ステップＡ１６においてＩＤの受信処理を行っても何も受信されないため、受信バッファに取り込まれる値はなく、受信バッファは０クリアされているままである。
【００６３】
ステップＡ１５でＩＤの受信処理を行うと、ステップＡ１６に進み、受信バッファの内容を図２０のポインタＰ１の値で指定される今回ＩＤデータＭ（Ｐ１）に記憶する（ステップＡ１６）。次いで、ポインタＰ１の値を＋１し（ステップＡ１７）、アップしたポインタＰ１の値が記憶部の個数６を超えているか否か判定し（ステップＡ１８）、ポインタＰ１の値が記憶部の個数６を超えていなければ、ステップＡ１５に戻り、先に説明したアクセス方式により、ＩＤの受信を行う。無線リーダ３の制御部１５は、ポインタＰ１の値が記憶部の個数６を超えるまで、ステップＡ１５、ステップＡ１６、ステップＡ１７を繰り返す。したがって、図２０の今回ＩＤデータＭ（１）〜Ｍ（６）の全てに受信によるＩＤデータが記憶される。なお、ポインタＰ１の値のときステップＡ１５にてＩＤが受信されない場合、今回ＩＤデータＭ（Ｐ１）には、ＩＤなしを表すデータ「０」が記憶される。
【００６４】
ポインタＰ１の値が記憶部の個数６を超えると、ステップＡ１８を真と判定し、ステップＡ１９に進む。無線リーダ３の制御部１５は、ステップＡ１９以下の処理にて、前回までと今回とで連続して受信されたＩＤがあるかを判定する。また、図２１は、第２実施形態の無線リーダ３の記憶部１６に設定されている前回連続検出ＩＤデータの記憶部を示す図である。図２２は、第２実施形態の無線リーダ３の記憶部１６に設定されている連続検出ＩＤデータの記憶部を示す図である。連続検出ＩＤデータは、今回のＩＤ受信処理（ステップＡ１６）にて受信されたＩＤが記憶されるもので、今回も連続して受信されたＩＤについては連続検出回数がカウントアップされる。また、前回連続検出ＩＤデータはステップＡ１９を行うまでの連続検出ＩＤデータが転送される。この実施形態では、前回連続検出ＩＤデータの記憶部と連続検出ＩＤデータの記憶部は、今回ＩＤデータの記憶部の個数に対応して６個設けられている。なお、６個の前回連続検出ＩＤデータをＺ（１）〜Ｚ（６）で表し、６個の連続検出ＩＤデータをＮ（１）〜Ｎ（６）で表すものとする。なお、６個の前回連続検出ＩＤデータＺ（１）〜Ｚ（６）、６個の連続検出ＩＤデータＮ（１）〜Ｎ（６）の初期状態は、電源投入時の初期化処理により０クリアされているものとする。
【００６５】
ステップＡ１９に進むと、連続検出ＩＤデータＮ（１）〜Ｎ（６）の内容を前回連続検出ＩＤデータＺ（１）〜Ｚ（６）に転送し（ステップＡ１９）、連続検出ＩＤデータＮ（１）〜Ｎ（６）に対応してそれぞれ設けられた連続検出回数カウンタＣＡ（１）〜ＣＡ（６）の内容を前回連続検出回数カウンタＣＢ（１）〜ＣＢ（６）に転送し（ステップＡ２０）、連続検出ＩＤデータＮ（１）〜Ｎ（６）を０クリアし（ステップＡ２１）、連続検出回数カウンタＣＡ（１）〜ＣＡ（６）を０クリアし（ステップＡ２２）、ステップＡ２３に進む。
【００６６】
無線リーダ３の制御部１５は、今回ＩＤデータの読出場所を指定するためにポインタＰ１に初期値「１」をセットし（ステップＡ２３）、連続検出ＩＤデータの書込場所を指定するためにポインタＰ３に初期値「１」をセットし（ステップＡ２４）、ステップＡ２５に進む。ステップＡ２５では、ポインタＰ１の値で指定される今回ＩＤデータＭ（Ｐ１）の内容をレジスタＩＤ１に読み出す（ステップＡ２５）。次いで、ＩＤ１の内容が「０（ＩＤなし）」であるか否かを判定する（ステップＡ２６）。ＩＤ１の内容が「０（ＩＤなし）」であれば、ステップＡ３４にジャンプする。
【００６７】
一方、ＩＤ１の内容が「０（ＩＤなし）」でなければ、即ち、今回のＩＤ受信処理（ステップＡ１６）にて受信されたＩＤが記憶されている場合には、前回連続検出ＩＤデータの読出場所を指定するためにポインタＰ２に初期値「１」をセットし（ステップＡ２７）、ポインタＰ２の値で指定される前回連続検出ＩＤデータＺ（Ｐ２）に記憶されているＩＤをレジスタＩＤ２に読み出す（ステップＡ２８）。次いで、ＩＤ１に記憶されているＩＤが、ＩＤ２に記憶されているＩＤと同じであるか否かを判定する（ステップＡ２９）。
【００６８】
ステップＡ２９にて、ＩＤ１に記憶されているＩＤが、ＩＤ２に記憶されているＩＤと同じであれば、ＩＤ１に記憶されているＩＤは、前回に既に検出されているＩＤであり、前回と今回とで連続して受信されたＩＤであることになり、この場合、ステップＡ３６に進む。ステップＡ３６にて、ＩＤ１に記憶されているＩＤを、図２２のポインタＰ３の値で指定される連続検出ＩＤデータＮ（Ｐ３）に記憶する（ステップＡ３６）。次いで、ポインタＰ２の値で指定される前回連続検出ＩＤデータＺ（Ｐ２）に対応する前回連続検出回数カウンタＣＢ（Ｐ２）の値（連続検出回数）をカウンタＣに読み出し（ステップＡ３７）、今回連続して受信されたことに応じてカウンタＣの値を＋１し（ステップＡ３８）、１つアップしたカウンタＣの値をポインタＰ３の値で指定される連続検出回数カウンタＣＡ（Ｐ３）に記憶する（ステップＡ３９）。そして、連続検出ＩＤデータの書込場所を指定するポインタＰ３を＋１し（ステップＡ４０）、ステップＡ３４に進む。
【００６９】
一方、ステップＡ２９にて、ＩＤ１に記憶されているＩＤが、ＩＤ２に記憶されているＩＤと同じでなければ、ポインタＰ２の値を＋１し（ステップＡ３０）、アップしたポインタＰ２の値が記憶部の個数６を超えているか否か判定し（ステップＡ３１）、ポインタＰ２の値が記憶部の個数６を超えていなければ、ステップＡ２８に戻り、アップしたポインタＰ２の値で指定される次の前回連続検出ＩＤデータＺ（Ｐ２）の内容をレジスタＩＤ２に読み出し、同様の処理を行う。ＩＤ１に記憶されているＩＤが、前回連続検出ＩＤデータＺ（１）〜Ｚ（６）に記憶されていない場合、ＩＤ１に記憶されているＩＤは、今回のＩＤ受信処理（ステップＡ１６）にて新規に受信されたＩＤであることになり、ステップＡ２８、ステップＡ２９を偽、ステップＡ３０、ステップＡ３１を偽とする処理ルーチンを繰り返し、ポインタＰ２の値が記憶部の個数６を超える。即ち、ステップＡ３１を真と判定してステップＡ３２に進む。ステップＡ３２では、ＩＤ１に記憶されているＩＤを、図２２のポインタＰ３の値で指定される連続検出ＩＤデータＮ（Ｐ３）に記憶する（ステップＡ３６）。即ち、ＩＤ１に記憶されているＩＤは新規に受信されたＩＤであるとして記憶する。この場合は、当該ＩＤは前回と今回とで連続して受信されたものでないから、連続検出回数カウンタＣＡ（Ｐ３）は「０」のままとなる。そして、連続検出ＩＤデータの書込場所を指定するポインタＰ３を＋１し（ステップＡ４０）、ステップＡ３４に進む。
【００７０】
ステップＡ３４に進むと、ポインタＰ１の値を＋１し（ステップＡ３４）、アップしたポインタＰ１の値が記憶部の個数６を超えているか否か判定し（ステップＡ３５）、ポインタＰ１の値が記憶部の個数６を超えていなければ、ステップＡ２５に戻り、アップしたポインタＰ１の値で指定される次の今回ＩＤデータＭ（Ｐ１）の内容をレジスタＩＤ１に読み出し、上述した処理ルーチンを行う。したがって、今回ＩＤデータＭ（１）から今回ＩＤデータＭ（６）まで順番に、前回連続検出ＩＤデータＺ（１）〜Ｚ（６）のＩＤとが同じであるか否かが判定され、即ち、前回と今回とで連続して受信されたＩＤであるか否かが判定され、前回と今回とで連続して受信されたＩＤである場合、当該ＩＤが今回作成分の連続検出ＩＤデータに記憶され、かつ連続検出回数が１つ加算記憶される。また、今回新規に受信されたＩＤである場合、当該ＩＤが今回作成分の連続検出ＩＤデータに記憶される。ポインタＰ１の値が記憶部の個数６を超えると、ステップＡ１８を真と判定し、ステップＡ６０に進む。
【００７１】
図２３は、今回ＩＤデータと前回連続検出ＩＤデータ及び前回連続検出回数カウンタとから作成される連続検出ＩＤデータ及び連続検出回数カウンタの具体例を示している。今回ＩＤデータとして、「Ｐ０１００１」、「Ｑ０１０００」、「Ｐ０１０１０」の３つのＩＤが受信されたことを示している。ＩＤ「Ｐ０１００１」については、前回までに１２回連続して受信されており（前回連続検出ＩＤデータに記憶あり、連続検出回数１２）、これにより、連続検出ＩＤデータ「Ｐ０１００１」及び連続検出回数が＋１されて「１３」が記憶される。ＩＤ「Ｑ０１０００」についても、同様に、前回までに７回連続して受信されており（前回連続検出ＩＤデータに記憶あり、連続検出回数７）、これにより、連続検出ＩＤデータ「Ｑ０１０００」及び連続検出回数が＋１されて「８」が記憶される。
【００７２】
ＩＤ「Ｐ０１０１０」については、前回連続検出ＩＤデータに記憶がなく、新規に受信されたＩＤであるとして連続検出ＩＤデータ「Ｐ０１０１０」が記憶される。なお、連続検出回数は、前回と今回とで連続して受信されたものでないから０のままとなる。また、前回連続検出ＩＤデータとして前回まで２回連続して受信されていたＩＤ「０９００１」については、今回ＩＤデータとして受信されなかったことにより、今回作成された連続検出ＩＤデータには記憶されることはない。なお、表示プレート６が遊技台２から取り外された場合や、ＩＤの受信範囲内に店員が携帯している表示プレートがあったものが、ＩＤの受信範囲外に移動した場合等に当たる。
【００７３】
無線リーダ３の制御部１５は、ステップＡ６０以下の処理にて、作成した連続検出ＩＤデータ及び連続検出回数カウンタにより、予め定められた所定時間の間（この実施形態では、例えば、１分間）、同じＩＤを受信した場合にのみ該ＩＤを有効と判定し、有効と判定した場合に限りＩＤを有効ＩＤデータとして記憶し、管理装置４にＩＤを送信する。
【００７４】
ステップＡ６０に進むと、図２２に示す連続検出回数カウンタ及び連続検出ＩＤデータの読出場所を指定するためにポインタＰ３に初期値「１」をセットし（ステップＡ６０）、ポインタＰ３の値で指定される連続検出回数カウンタＣＡ（Ｐ３）の内容をカウンタＣに読み出す（ステップＡ６１）。次いで、カウンタＣの連続検出回数が予め定めた回数（この実施形態では例えば１０回）以上であるか否かを判定する（ステップＡ６２）。この実施形態では、ステップＡ１１のＩＤ受信のタイミングが６秒毎と決められているので、１０回連続して同じＩＤが受信される場合、１分間、同じＩＤを受信したものと見なすことができる。
【００７５】
カウンタＣの連続検出回数が予め定めた回数以上である場合、ステップＡ６５に進み、ポインタＰ３の値で指定される連続検出ＩＤデータＮ（Ｐ３）に記憶されているＩＤを有効と判定し、レジスタＩＤ３に読み出す（ステップＡ６５）。次いで、有効ＩＤデータの記憶部ＵＫ１が空いているか（内容が「０」であるか）否かを判定し（ステップＡ６６）、有効ＩＤデータの記憶部ＵＫ１が空いている場合には、ＩＤ３に記憶されているＩＤを有効ＩＤデータＵＫ１に記憶し（ステップＡ６７）、ステップＡ６３に進む。
【００７６】
３番台の遊技台に設置された無線リーダの場合、２番台、３番台、４番台にそれぞれ表示プレート６が取り付けられている可能性があり、その場合には、最高で有効と判定されるべきＩＤは３つとなる。したがって、このことから有効ＩＤデータの記憶部は、ＵＫ１、ＵＫ２、ＵＫ３の３個設けられている。
【００７７】
ステップＡ６６にて、有効ＩＤデータの記憶部ＵＫ１が空いていない場合には（有効と判定された別のＩＤが既に記憶されている場合には）、ステップＡ６８に進み、有効ＩＤデータの記憶部ＵＫ２が空いているか否かを判定し（ステップＡ６８）、有効ＩＤデータの記憶部ＵＫ２が空いている場合には、ＩＤ３に記憶されているＩＤを有効ＩＤデータＵＫ２に記憶し（ステップＡ６９）、ステップＡ６３に進む。一方、有効ＩＤデータの記憶部ＵＫ１が空いておらず、かつ有効ＩＤデータの記憶部ＵＫ２も空いていない場合には、ステップＡ７０に進み、ＩＤ３に記憶されているＩＤを有効ＩＤデータＵＫ３に記憶し（ステップＡ７０）、ステップＡ６３に進む。したがって、有効と判定されるＩＤは、最高で３個であり、有効と判定されたＩＤは、有効ＩＤデータＵＫ１、ＵＫ２、ＵＫ３のいずれかに記憶される。なお、図２３では、連続検出回数カウンタの値が「１３」であり、即ち、予め定めた回数（１０回）以上であることから、該連続検出回数カウンタに対応するＩＤ「Ｐ０１００１」が有効と判定され、有効ＩＤデータＵＫ１に記憶された例を示している。
【００７８】
ステップＡ６３に進むと、ポインタＰ３の値を＋１し（ステップＡ６３）、アップしたポインタＰ３の値が記憶部の個数６を超えているか否か判定し（ステップＡ６４）、ポインタＰ３の値が記憶部の個数６を超えていなければ、ステップＡ６１に戻り、アップしたポインタＰ３の値で指定される次の連続検出回数カウンタＣＡ（Ｐ３）の内容をカウンタＣに読み出し、上述した処理ルーチンを行う。したがって、連続検出回数カウンタＣＡ（１）からＣＡ（６）まで順番に、連続検出回数が予め定めた回数以上であるか否かが判定され、連続検出回数が予め定めた回数以上であると判定されたＩＤが有効と判定され、有効ＩＤデータＵＫ１、ＵＫ２、ＵＫ３のいずれかに記憶される。ポインタＰ３の値が記憶部の個数６を超えると、ステップＡ６４を真と判定し、今回のＩＤ検知送信処理を終える。
【００７９】
図１６に戻り、ＩＤを受信するタイミングでなければステップＡ５０にジャンプし、管理装置４からＩＤ送信要求指令が送られているか否かを判断する（ステップＡ５０）。管理装置４からＩＤ送信要求指令が送られていない場合、制御部１５は、今回のＩＤ検知送信処理を終了する。一方、管理装置４からＩＤ送信要求指令が送られてきている場合、制御部１５は、有効ＩＤデータＵＫ１、ＵＫ２、ＵＫ３に記憶されている内容（有効ＩＤあるいはＩＤなしを表す「０」）を送信バッファにセットし（ステップＡ５１）（図２３参照）、送信バッファにセットしたＩＤデータを管理装置４に送信し（ステップＡ５２）、有効ＩＤデータＵＫ１、ＵＫ２、ＵＫ３を０クリアし（ステップＡ５３）、今回のＩＤ検知送信処理を終了する。
【００８０】
無線リーダ３は、管理装置４に対して送信するＩＤデータは３個分（ＩＤとして３個分の意味）の大きさを有する１つの文字列として送信する。図２４は、無線リーダ３から管理装置４に対して送信されるＩＤデータの具体例である。ＩＤなしの場合には、有効ＩＤデータＵＫ１が「０」、ＵＫ２が「０」、ＵＫ３が「０」であり、ＩＤデータは全体として０となる。有効と判定されたＩＤが１つのみの場合は、有効ＩＤがＵＫ１のみとなり、この例ではＩＤ「Ｐ０１００１」、ＵＫ２が「０」、ＵＫ３が「０」となる。有効と判定されたＩＤが２つの場合は、有効ＩＤがＵＫ１とＵＫ２となり、この例ではＵＫ１がＩＤ「Ｐ０１００１」、ＵＫ２がＩＤ「Ｑ０１０００」、ＵＫ３が「０」となる。有効と判定されたＩＤが３つの場合は、有効ＩＤがＵＫ１、ＵＫ２、ＵＫ３の３つとなり、この例ではＵＫ１がＩＤ「Ｐ０１００１」、ＵＫ２がＩＤ「Ｑ０１０００」、ＵＫ３がＩＤ「Ｐ０９００１」となる。
【００８１】
以上に説明したように、無線リーダ３のＩＤの受信範囲内に、例えば、ホールの店員が表示プレートを携帯して移動して入った場合、店員が携帯している表示プレートから送信されるＩＤを一時的に受信することになるが、予め定めた一定時間、同じＩＤを受信した場合にのみＩＤを有効と判定し、有効と判定した場合に限りＩＤを記憶部に記憶し、管理装置４にＩＤを送信するものであるから、ホール内を巡回移動している店員が所持している表示プレートのＩＤを受信してもこのＩＤが有効と判定される可能性は極めて低く、従って誤ったＩＤを管理装置に送信してしまうことを回避することができる。
【００８２】
次に、第２実施形態において、管理装置４のＣＰＵが実行する無線リーダ３からのＩＤ送信に応じた処理について説明する。図２５は、第２実施形態において管理装置４の制御部のＣＰＵが実行する無線リーダ３からのＩＤ送信に応じた処理のメインルーチンを示すフローチャートである。当該処理のメインルーチンを開始すると、ＣＰＵは、まず、無線リーダとの通信タイミングであるか否かを判断する（ステップＳ５０）。ここで、無線リーダとの通信タイミングとは、予め設定された通信タイミングであり、無線リーダ３がＩＤが有効であるか否かを１分間で判定していることに基づき、例えば、１分毎に定められているものとする。無線リーダとの通信タイミングでなければ、ステップＳ５０を偽と判定してステップＳ５７にジャンプする。
【００８３】
一方、無線リーダとの通信タイミングである場合、ＣＰＵは、ステップＳ５０を真と判定し、全無線リーダとの通信処理を行い（ステップＳ５１）、全無線リーダから送信されたＩＤデータをリーダ番号毎に記憶する（図２６参照）。次いで、ＣＰＵは、プレートのＩＤ検出処理を行い（ステップＳ５２）、図２６に示すＩＤデータＥ（Ｑ１）に記憶された各無線リーダが検出したＩＤを順に検出して配列ＩＤデータを作成する（図２７参照）。この際、一度記憶したＩＤは記憶しないようにする。次に、ＣＰＵは、各遊技台のＩＤデータである今回ＩＤデータＤ（１）〜Ｄ（Ｎ）を前回ＩＤデータＢ（１）〜Ｂ（Ｎ）に転送し（ステップＳ５３）（図２８参照）、今回ＩＤデータＤ（１）〜Ｄ（Ｎ）を０クリアする（ステップＳ５４）。次いで、ＣＰＵは、プレートの位置検出処理を行い（ステップＳ５５）、無線リーダによって受信されたＩＤがどの遊技台に取り付けられているのかを特定し、今回ＩＤデータに記憶する。次に、新たなプレートの検出処理を行い（ステップＳ５６）、新たなプレートの検出処理において、新たに表示プレートが取りつけられた遊技台を検出し、新たに取り付けられた表示プレートが「ラッキーナンバー」表示プレートである遊技台に関して店内放送し、ステップＳ５７に進む。ステップＳ５７においては、プレート状態の表示要求があるか否かを判断する（ステップＳ５７）。プレート状態の表示要求は、オペレータが管理装置４の手動入力部（図示せず）を介して行うものである。プレート状態の表示要求がなければ、ステップＳ５７を偽と判定し、ステップＳ５０に戻る。プレート状態の表示要求があれば、ステップＳ５７を真と判定し、プレート状態の表示処理を行い（ステップＳ５８）、プレート状態の表示処理を終えるとステップＳ５０に戻る。ＣＰＵは、以上に述べた処理ルーチンを繰り返す。
【００８４】
図３０は、第２実施形態において管理装置４のＣＰＵが実行する全無線リーダとの通信処理のサブルーチンを示すフローチャートである。なお、全無線リーダとの通信処理は、管理装置４がポーリングにて、各無線リーダが有効と判定して記憶したＩＤデータを受信し、リーダ番号に対応付けしてＩＤデータを記憶する処理である。全無線リーダとの通信処理を開始すると、まず、ＣＰＵは、無線リーダを指定するためにリーダ番号レジスタＲ１に無線リーダの先頭のリーダ番号をセットする（ステップＳ６１）。
【００８５】
先に述べたように、第２実施形態においては、遊技台に対して設置されている無線リーダのリーダ番号を遊技台の台番号に対応させ（リーダ番号を台番号と同じ番号とし）、設置されていない遊技台分のリーダ番号を欠番としてある。したがって、遊技台の台番号を無線リーダのリーダ番号としてそのまま用いる。なお、本実施形態では、無線リーダに付与されたリーダ番号は１番（台番号００１）〜Ｎ番（台番号Ｎ）までのあるものとする。なお、本実施形態ではリーダ番号の先頭番号は「００１」である。
【００８６】
次いで、ＣＰＵは、無線リーダのリーダ番号と受信したＩＤデータの書込場所を指定するためにポインタＱ１に初期値「１」をセットし（ステップＳ６２）、ステップＳ６３に進む。ステップＳ６３に進むと、ＣＰＵは、通信相手の無線リーダからＩＤデータが送信されてくるまでの待ち時間を計時するためのタイマをリセットしてスタートさせ（ステップＳ６３）、Ｒ１に記憶したリーダ番号の無線リーダにＩＤ送信要求指令を出力し（ステップＳ６４）、Ｒ１番の無線リーダから送信データ（ＩＤデータ）が送られてきたか否かを判定する（ステップＳ６５）。
【００８７】
ＣＰＵは、Ｒ１番の無線リーダから送信データが送られてこない場合（ステップＳ６５を偽）、タイマが計時する待ち時間によるタイムオーバーを監視し（ステップＳ６６）、待ち時間によるタイムオーバーとならないうちは（ステップＳ６６を偽）、ステップＳ６４、ステップＳ６５を偽、ステップＳ６６を偽と判定する処理ルーチンを繰り返す。なお、ステップＳ６６による待ち時間によるタイムオーバーの判定処理は、欠番となっている存在しない無線リーダにＩＤ送信要求指令を出力した場合の判断のためである。
【００８８】
待ち時間によるタイムオーバーとならないうちに、ＩＤ送信要求指令に応じてＲ１番の無線リーダから送信データが送られてくると、ＣＰＵは、ステップＳ６５を真と判定し、ステップＳ６７に進み、送られて来たＩＤデータを受信し（ステップＳ６７）、受信したＩＤデータをポインタＱ１の値で指定されるＥ（Ｑ１）に記憶し（ステップＳ６８）、ポインタＱ１の値で指定されるリーダ番号ＲＤ（Ｑ１）にレジスタＲ１に記憶されたリーダ番号を記憶し（ステップＳ６９）、ステップＳ７０に進む。
【００８９】
図２６は、管理装置４のメモリに設定されているリーダ番号００１（先頭番号）〜リーダ番号Ｎ（最終番号）までの無線リーダから今回送信されたＩＤデータの記憶部Ｅ（Ｑ１）とリーダ番号の記憶部ＲＤ（Ｑ１）とを対応付けて示す図である。ＩＤデータの記憶部Ｅ（Ｑ１）に記憶されるＩＤデータは、図２４に示した無線リーダ３から管理装置４に送信するＩＤデータと同じ形式であり、３個分（ＩＤとして３個分の意味）の大きさを有する１つの文字列として記憶される。なお、本実施形態の場合、１つのＩＤは、例えば、「Ｐ０１００１」のように全て６文字のデータで構成されている。
【００９０】
ステップＳ７０に進むと、リーダ番号と受信したＩＤデータの書込場所を指定するポインタＱ１を＋１し（ステップＳ７０）、リーダ番号レジスタＲ１に記憶されたリーダ番号を１つアップする（ステップＳ７１）。次いで、更新アップしたリーダ番号レジスタＲ１のリーダ番号が無線リーダの最終番号（この実施形態ではＮ）を超えたか否かを判定し（ステップＳ７２）、リーダ番号レジスタＲ１のリーダ番号が最終番号Ｎを超えていなければ、ステップＳ６３に戻り、再びタイマをリセットしてスタートさせ、更新アップしたリーダ番号で指定される次の無線リーダに対して、上記と同様の処理を行う。
【００９１】
ところで、欠番となっている存在しない無線リーダにＩＤ送信要求指令を出力した場合、例えば、図７に示す例では、２番台の遊技台には無線リーダ３は設置されていないが、更新アップしたリーダ番号レジスタＩのリーダ番号が「００２」であると、リーダ番号「００２」の無線リーダにＩＤ送信要求指令を出力し（ステップＳ６４）、「００２」の無線リーダから送信データ（ＩＤデータ）が送られてきたか否かを判定することになる（ステップＳ６５）。この場合は、送信データ（ＩＤデータ）は送られてこないので、タイマによって計時される待ち時間がタイムオーバーとなる。タイムオーバーとなる場合、ＣＰＵは、ステップＳ６６を真と判定し、ステップＳ７１にジャンプし、リーダ番号レジスタＲ１に記憶されたリーダ番号を１つアップする（ステップＳ７１）。
【００９２】
ＣＰＵは、以上の処理ルーチンを繰り返すことで、先頭番号（００１）から最終番号（Ｎ番）までのＩＤデータを順次受信して記憶していく。リーダ番号レジスタＲ１のリーダ番号が最終番号Ｎを超えると、ステップＳ７２を真と判定し、当該サブルーチンを抜けて図２５のメインルーチンに戻り、ステップＳ５２のプレートのＩＤ検出処理に移行する。
【００９３】
図３１乃至図３２は、第２実施形態において管理装置４のＣＰＵが実行するプレートのＩＤ検出処理のサブルーチンを示すフローチャートである。この処理において、各無線リーダが検出したＩＤを順に検出して配列ＩＤデータを作成する（図２７参照）。この際、一度記憶したＩＤは記憶しないようにする。プレートのＩＤ検出処理を開始すると、まず、ＣＰＵは、リーダ番号ＲＤ（Ｑ１）と受信ＩＤデータＥ（Ｑ１）の読出場所を指定するためにポインタＱ１に初期値「１」をセットし（ステップＳ８０）、配列ＩＤデータの書込場所を指定するために書込ポインタＫ１に初期値「０」をセットし（ステップＳ８１）、ステップＳ８２に進み、ポインタＱ１の値で指定される受信ＩＤデータＥ（Ｑ１）の内容が０「ＩＤなし」であるか否かを判定する（ステップＳ８２）。
【００９４】
図２７に示すように、受信ＩＤデータＥ（Ｑ１）は、ＩＤ３個分の大きさを有する１つの文字列として記憶されている。また、受信ＩＤデータＥ（Ｑ１）の内容は、図２４で示した「ＩＤなし」、「ＩＤ１つのみ」、「ＩＤ２つ」、「ＩＤ３つ」のうちのいずれか１つとなる。Ｅ（Ｑ１）の内容が０「ＩＤなし」である場合、ステップＳ８２を真と判断ししてステップＳ９６にジャンプし、ポインタＱ１の値で指定される（即ち、Ｅ（Ｑ１）と対応付けられる）リーダ番号ＲＤ（Ｑ１）の内容（リーダ番号）が最終番号Ｎであるか否かを判定する（ステップＳ９６）。リーダ番号ＲＤ（Ｑ１）のリーダ番号が最終番号Ｎでなければ、ステップＳ９６を偽と判定し、読出場所を指定するポインタＱ１を＋１し（ステップＳ９７）、ステップＳ８２に戻り、アップしたポインタＱ１の値で指定される次の受信ＩＤデータＥ（Ｑ１）の内容が０「ＩＤなし」であるか否かを判定する（ステップＳ８２）。
【００９５】
ステップＳ８２にて、Ｅ（Ｑ１）の内容が０「ＩＤなし」でない場合、ステップＳ８２を偽と判断してステップＳ８３に進む。ステップＳ８３に進む場合には、受信ＩＤデータＥ（Ｑ１）の内容は、図２４で示した「ＩＤ１つのみ」、「ＩＤ２つ」、「ＩＤ３つ」のうちの何れかとなり、Ｅ（Ｑ１）にはＩＤが少なくとも１つ含まれる。ＣＰＵは、Ｅ（Ｑ１）の１番目のＩＤ、２番目のＩＤ、３番目のＩＤを順番に指定するための順番レジスタｉに初期値「１」をセットし（ステップＳ８３）、ステップＳ８４に進み、Ｅ（Ｑ１）のｉ番目のＩＤをレジスタＩＤ４に読み出す（ステップＳ８４）。
【００９６】
次に、ＣＰＵは、ＩＤ４に記憶されているＩＤが０「ＩＤなし」であるか否かを判定する（ステップＳ８５）。ＩＤ４に記憶されているＩＤが０「ＩＤなし」である場合、ステップＳ９４にジャンプし、順番レジスタｉの値を１つアップし（ステップＳ９４）、アップした順番レジスタｉの値がＩＤの記憶数「３」を超えているか否かを判定し（ステップＳ９５）、順番レジスタｉの値がＩＤの記憶数「３」を超えていなければ、ステップＳ９５を偽と判定してステップＳ８４に戻り、Ｅ（Ｑ１）のｉ番目の（即ち、次の）ＩＤをレジスタＩＤ４に読み出す（ステップＳ８４）。
【００９７】
ステップＳ８５にて、ＩＤ４に記憶されているＩＤが「ＩＤなし」でない場合、即ち、ＩＤ４に実質的にＩＤが記憶されている場合、ＣＰＵは、ステップＳ８６に進み、配列ＩＤデータの書込場所を指定する書込ポインタＫ１の値が「０（１つも記憶していないことを表す）」であるか否かを判定する（ステップＳ８６）。プレートのＩＤ検出処理を開始した時点では、書込ポインタＫ１の値が「０」とされており、ＣＰＵは、ステップＳ８６を真と判定してステップＳ９２にジャンプし、書込ポインタＫ１の値を＋１し（ステップＳ９２）、ステップＳ９３に進み、ＩＤ４に記憶されているＩＤを、書込ポインタＫ１の値で指定される配列ＩＤデータ（Ｋ１）に記憶する（ステップＳ９３）。
【００９８】
ステップＳ９３の処理を行うと、ステップＳ９４にて順番レジスタｉの値を１つアップし、ステップＳ９５にて、順番レジスタｉの値がＩＤの記憶数「３」を超えていなければ、ステップＳ９５を偽と判定してステップＳ８４に戻り、Ｅ（Ｑ１）のｉ番目の（即ち、次の）ＩＤをレジスタＩＤ４に読み出す。一方、ステップＳ９５にて、順番レジスタｉの値がＩＤの記憶数「３」を超えている場合、ステップＳ９６に進み、ステップＳ９６を偽と判定した場合、アップしたポインタＱ１の値で指定される次の受信ＩＤデータＥ（Ｑ１）の内容について「ＩＤなし」であるか否かを判定する。
【００９９】
配列ＩＤデータＩＤに１つでもＩＤが記憶されると、書込ポインタＫ１の値が「０」出なくなるため、Ｅ（Ｑ１）からレジスタＩＤ４に実質的にＩＤが読み出された場合、ステップＳ８６の判定結果は偽となる。従って、ＣＰＵはステップＳ８７に進む。なお、ステップＳ８７以降の処理は、新たにレジスタＩＤ４に読み出されたＩＤが、既に配列ＩＤデータＩＤに記憶されているＩＤであるか否かを判定するための処理である。ＣＰＵは、配列ＩＤデータの読出場所を指定するために読出ポインタＱ２に初期値「１」をセットし（ステップＳ８７）、ステップＳ８８に進み、読出ポインタＱ２の値で指定される配列ＩＤデータＩＤ（Ｑ２）のＩＤをレジスタＩＤ５に読み出す（ステップＳ８８）。
【０１００】
次いで、ＩＤ４に記憶されているＩＤがＩＤ５に記憶されているＩＤと同じであるか否かを判定する（ステップＳ８９）。ＩＤ４に記憶されているＩＤがＩＤ５に記憶されているＩＤと同じである場合には、新たにレジスタＩＤ４に読み出されたＩＤが、既に配列ＩＤデータに記憶されているＩＤであり、ＩＤ４に記憶されているＩＤは配列ＩＤデータに記憶する必要はない。ＣＰＵは、ステップＳ８９を真と判定するとステップＳ９４にジャンプする。
【０１０１】
一方、ステップＳ８９にて、ＩＤ４に記憶されているＩＤがＩＤ５に記憶されているＩＤと同じでない場合には、配列ＩＤデータに記憶されていないＩＤである可能性がある。この場合、ＣＰＵは、ステップＳ８９を偽と判定し、ステップＳ９０に進み、読出ポインタＱ２の値を＋１し（ステップＳ９０）、アップした読出ポインタＱ２の値が書込ポインタＫ１の値（配列ＩＤデータに記憶したＩＤの記憶数を表す）を超えているか否かを判定する（ステップＳ９１）。アップした読出ポインタＱ２の値が書込ポインタＫ１の値を超えていなければ、ステップＳ９１を偽と判定し、ステップＳ８８に戻り、アップした読出ポインタＱ２の値で指定される配列ＩＤデータＩＤ（Ｑ２）の次のＩＤをレジスタＩＤ５に読み出し（ステップＳ８８）、ＩＤ４に記憶されているＩＤがＩＤ５に記憶されているＩＤと同じであるか否かを判定する（ステップＳ８９）。
【０１０２】
そして、ステップＳ８８、ステップＳ８９を偽、ステップＳ９０、ステップＳ９１を偽と判定する処理ルーチンを繰り返し、読出ポインタＱ２の値が書込ポインタＫ１の値を超えた場合、ＩＤ４に記憶されているＩＤは、配列ＩＤデータに記憶されていないＩＤであることになる。ＣＰＵは、ステップＳ９１を真と判定し、ステップＳ９２に進み、書込ポインタＫ１の値を＋１し（ステップＳ９２）、ＩＤ４に記憶されているＩＤを、書込ポインタＫ１の値で指定される配列ＩＤデータ（Ｋ１）に記憶する（ステップＳ９３）。
【０１０３】
以上に述べた処理ルーチンを繰り返し、全ての受信ＩＤデータＥ（Ｑ１）について記憶されているＩＤを確認して配列ＩＤデータに記憶する。そして、リーダ番号ＲＤ（Ｑ１）の内容（リーダ番号）が最終番号Ｎについての受信ＩＤデータのＩＤを確認し終えると、ステップＳ９６にジャンプし、ポインタＱ１の値で指定されるリーダ番号ＲＤ（Ｑ１）のリーダ番号が最終番号Ｎであると判定し、即ち、ステップＳ９６を真と判定し、当該サブルーチンを抜けて図２５のメインルーチンに戻り、ステップＳ５３、ステップＳ５４を行い、ステップＳ５５のプレートの位置検出処理に移行する。
【０１０４】
図２７は、以上に説明したプレートのＩＤ検出処理によって作成された配列ＩＤデータの具体例を示している。リーダ番号「００１」の無線リーダで受信されたＩＤは、即ち、Ｅ（１）は、ＩＤ「Ｐ０１００１」、「ＩＤなし」、「ＩＤなし」で、Ｅ（１）に含まれるＩＤはＩＤ「Ｐ０１００１」の１つである。プレートのＩＤ検出処理では、ステップＳ８２を偽、ステップＳ８４ではＩＤ４に１番目のＩＤ「Ｐ０１００１」が読み出され、ステップＳ８５を偽、書込ポインタＫ１が０であるからステップＳ８６を真、ステップＳ９２にて書込ポインタＫ１が＋１され、ステップＳ９３にて配列ＩＤデータのＩＤ（１）に「Ｐ０１００１」が記憶される。次に、ステップＳ９４でｉの値が２とされ、ステップＳ９５を偽、ステップＳ８４に戻り、ＩＤ４に２番目のＩＤ「０」（ＩＤなし）が読み出されるため、ステップＳ８５を真、ステップＳ９４でｉの値が３とされ、ステップＳ９５を偽、ステップＳ８４に戻り、ＩＤ４に３番目のＩＤ「０」（ＩＤなし）が読み出されるため、ステップＳ８５を真、ステップＳ９４でｉの値が４とされ、ステップＳ９５を真、リーダ番号「００１」であるからステップＳ９６を偽、ポインタＱ１を１つアップし、ステップＳ８２に戻る。
【０１０５】
次に、リーダ番号「００３」の無線リーダで受信されたＩＤは、即ち、Ｅ（２）は、ＩＤ「Ｐ０１００１」、「Ｑ０１００９」、「ＩＤなし」で、Ｅ（２）に含まれるＩＤはＩＤ「Ｐ０１００１」、ＩＤ「Ｑ０１００９」の２つである。従って、ステップＳ８２を偽、ステップＳ８４ではＩＤ４に１番目のＩＤ「Ｐ０１００１」が読み出され、ステップＳ８５を偽、書込ポインタＫ１が１であるからステップＳ８６を偽、ステップＳ８７にて読出ポインタＱ２に１がセットされ、ステップＳ８８にてＩＤ（１）の「Ｐ０１００１」がＩＤ５に読み出され、ＩＤ４＝ＩＤ５となりステップＳ８９を真、ステップＳ９４でｉの値が２とされ、ステップＳ９５を偽、ステップＳ８４に戻り、ＩＤ４に２番目のＩＤ「Ｑ０１００９」が読み出される。次に、ステップＳ８５を偽、書込ポインタＫ１が１であるからステップＳ８６を偽、ステップＳ８７にて読出ポインタＱ２に１がセットされ、ステップＳ８８にてＩＤ（１）の「Ｐ０１００１」がＩＤ５に読み出され、ＩＤ４≠ＩＤ５となりステップＳ８９を偽、ステップＳ９０にて読出ポインタＱ２が＋１されて２となり、書込ポインタＫ１の値１を超えるからステップＳ９１を真、ステップＳ９２にて書込ポインタＫ１が＋１されて２となり、ステップＳ９３にて配列ＩＤデータのＩＤ（２）に「Ｑ０１００９」が記憶される。次に、ステップＳ９４でｉの値が３とされ、ステップＳ９５を偽、ステップＳ８４に戻り、ＩＤ４に３番目のＩＤ「０」（ＩＤなし）が読み出されるため、ステップＳ８５を真、ステップＳ９４でｉの値が４とされ、ステップＳ９５を真、リーダ番号「００３」であるからステップＳ９６を偽、ポインタＱ１を１つアップし、ステップＳ８２に戻り、Ｅ（５）＝０であるから、ステップＳ９６にジャンプし、リーダ番号「００５」であるからステップＳ９６を偽、ポインタＱ１を１つアップし、ステップＳ８２に戻り、Ｅ（７）についての処理を行う。
【０１０６】
図３３は、第２実施形態において管理装置４のＣＰＵが実行するプレートの位置検出処理のサブルーチンを示すフローチャートである。この処理において、プレートのＩＤ検出処理で作成した配列ＩＤデータのＩＤを受信した無線リーダを特定し、特定した無線リーダのリーダ番号からプレートの位置（プレートが取り付けられている遊技台の台番号）を特定し、今回ＩＤデータＤ（Ｉ）にＩＤを記憶する（図２９参照）。
【０１０７】
ＣＰＵは、プレートの位置検出処理を開始すると、まず、配列ＩＤデータの読出場所を指定するために読出ポインタＱ２に初期値「０」をセットし（ステップＳ１００）、ステップＳ１０１に進み、読出ポインタＱ２の値で指定される配列ＩＤデータＩＤ（Ｑ２）に記憶されているＩＤをＩＤ４に読み出す（ステップＳ１０１）。次に、ＣＰＵは、リーダ番号ＲＤ（Ｑ１）と受信ＩＤデータＥ（Ｑ１）の読出場所を指定するためにポインタＱ１に初期値「１」をセットし（ステップＳ１０２）、ＩＤ４に記憶されているＩＤが受信ＩＤデータＥ（Ｑ１）に記憶されている数をカウントするカウンタＣ１を０クリアし（ステップＳ１０３）、ステップＳ１０４に進む。
【０１０８】
ステップＳ１０４では、ＩＤ４に記憶されているＩＤが、ポインタＱ１の値で指定される受信ＩＤデータＥ（Ｑ１）に記憶されているか否かを判定する（ステップＳ１０４）。ＩＤ４に記憶されているＩＤが受信ＩＤデータＥ（Ｑ１）に記憶されている場合は、ステップＳ１０４を真と判定し、カウンタＣ１の値を＋１し（ステップＳ１０５）、ポインタＱ１の値で指定されるリーダ番号ＲＤ（Ｑ１）に記憶されているリーダ番号を、カウンタＣ１の値で指定されるＲＤ（Ｃ１）に記憶し（ステップＳ１０６）、リーダ番号ＲＤ（Ｑ１）に記憶されているリーダ番号が最終番号Ｎであるか否かを判定する（ステップＳ１０７）。一方、ステップＳ１０４にて、ＩＤ４に記憶されているＩＤが受信ＩＤデータＥ（Ｑ１）に記憶されていない場合は、ステップＳ１０４を偽と判定し、ステップＳ１０７にジャンプする。
【０１０９】
ステップＳ１０７にて、リーダ番号ＲＤ（Ｑ１）のリーダ番号が最終番号Ｎでなければ、ステップＳ１０７を偽と判定し、読出場所を指定するポインタＱ１を＋１し（ステップＳ１０８）、ステップＳ１０４に戻り、ＩＤ４に記憶されているＩＤが、アップしたポインタＱ１の値で指定される次の受信ＩＤデータＥ（Ｑ１）に記憶されているか否かを判定する（ステップＳ１０４）。以上の処理ルーチンを繰り返し、Ｅ（１）〜Ｅ（Ｎ＋１／２）の全ての受信ＩＤデータについてＩＤの記憶があるリーダ番号をＲＤ（Ｃ１）に記憶する。そして、Ｅ（Ｎ＋１／２）についてステップＳ１０４を判定すると、ステップＳ１０７にて、リーダ番号ＲＤ（Ｑ１）のリーダ番号が最終番号Ｎであると判定し、即ち、ステップＳ１０７を真と判定し、ステップＳ１０９に進む。
【０１１０】
ステップＳ１０９に進むと、ＣＰＵは、ステップＳ１０４〜ステップＳ１０７の処理で作成したリーダ番号配列ＲＤの読出場所を指定するためにポインタＱ３に初期値「１」をセットし（ステップＳ１０９）、リーダ番号を加算するための加算レジスタＸを０クリアし（ステップＳ１１０）、ステップＳ１１１に進んでポインタＱ３で指定されるリーダ番号配列のＲＤ（Ｑ３）に記憶されたリーダ番号を加算レジスタＸに加算し（ステップＳ１１１）、ポインタＱ３の値を＋１し（ステップＳ１１２）、アップしたポインタＱ３の値がＩＤの記憶数を記憶しているカウンタＣ１の値を超えているか否かを判定する（ステップＳ１１３）。
【０１１１】
ポインタＱ３の値がＩＤの記憶数を記憶しているカウンタＣ１の値を超えていなければ、ステップＳ１１３を偽と判定し、ステップＳ１１１に戻り、アップしたポインタＱ３の値で指定されるリーダ番号配列の次のＲＤ（Ｑ３）に記憶されたリーダ番号を加算レジスタＸに加算し（ステップＳ１１１）、ポインタＱ３の値を＋１し（ステップＳ１１２）、ステップＳ１１３に戻る。この処理ルーチンは、ポインタＱ３の値がＩＤの記憶数を記憶しているカウンタＣ１の値を超えるまで繰り返され、ポインタＱ３の値がＩＤの記憶数を記憶しているカウンタＣ１の値を超えると、ステップＳ１１３を真と判定してステップＳ１１４に進む。従って、ＩＤ４に記憶されているＩＤを受信した全無線リーダのリーダ番号が加算レジスタＸに加算される。
【０１１２】
ステップＳ１１４に進むと、ＣＰＵは、加算レジスタに記憶されているリーダ番号の合計値をカウンタＣ１に記憶されているＩＤの記憶数で割り、この除算結果を台番号レジスタＩにセットする（ステップＳ１１４）。なお、この除算結果はＩＤが取り付けられている遊技台の台番号となる。次いで、ＩＤ４に記憶されているＩＤを台番号レジスタＩにセットされた台番号で指定される今回ＩＤデータＤ（Ｉ）に記憶する（ステップＳ１１５）。
【０１１３】
ステップＳ１１５を行うと、ＣＰＵは、読出ポインタＱ２の値を＋１し（ステップＳ１１６）、アップした読出ポインタＱ２の値が書込ポインタＫ１の値（配列ＩＤデータに記憶したＩＤの記憶数を表す）を超えているか否かを判定する（ステップＳ１１７）。アップした読出ポインタＱ２の値が書込ポインタＫ１の値を超えていなければ、ステップＳ１１７を偽と判定し、ステップＳ１０１に戻り、アップした読出ポインタＱ２の値で指定される配列ＩＤデータＩＤ（Ｑ２）の次のＩＤをレジスタＩＤ４に読み出し（ステップＳ１０１）、上述したステップＳ１０２〜ステップＳ１１６の処理を行う。ステップＳ１０１〜ステップＳ１１７を偽と判定する処理ルーチンは、読出ポインタＱ２の値が書込ポインタＫ１の値を超えるまで繰り返される。従って、配列ＩＤデータＩＤ（Ｑ３）に記憶されている全てのＩＤについて、表示プレートが取り付けられている遊技台の台番号が特定され、台番号に対応する今回ＩＤデータＤ（Ｉ）にＩＤが記憶される。読出ポインタＱ２の値が書込ポインタＫ１の値を超えると、ステップＳ１１７を真と判定し、当該サブルーチンを抜けて図２５のメインルーチンに戻り、ステップＳ５６の新たなプレートの検出処理に移行する。
【０１１４】
図２９は、以上に説明したプレートの位置検出処理によって特定された表示プレートの位置（台番号）に対応して今回ＩＤデータに記憶されるＩＤの具体例を示している。ステップＳ１０１でＩＤ（１）から読み出されるＩＤは、「Ｐ０１００１」であり、ステップＳ１０４で比較されるＥ（１）には、ＩＤ「Ｐ０１００１」が含まれていることにより、ステップＳ１０５にてカウンタＣ１の値が＋１されて１となり、ステップＳ１０６にてＲＤ（１）のリーダ番号「００１」がＲＤ（Ｃ１）、即ち、ＲＤ（１）に記憶される。次に、ステップＳ１０８にてポインタＱ１が＋１されて２となり、ステップＳ１０４で比較されるＥ（２）にも、ＩＤ「Ｐ０１００１」が含まれていることにより、ステップＳ１０５にてカウンタＣ１の値＋１されて２となり、ステップＳ１０６にてＲＤ（２）のリーダ番号「００３」がＲＤ（Ｃ１）、即ち、ＲＤ（２）に記憶される。
【０１１５】
次に、ステップＳ１０８にてポインタＱ１が＋１されて３となるが、Ｅ（３）〜Ｅ（Ｎ）にはＩＤ「Ｐ０１００１」が含まれていないことにより、ステップＳ１０４で最終番号のＥ（Ｎ＋１／２）と比較するまで、ステップＳ１０４を偽、ステップＳ１０７を偽、ステップＳ１０８を繰り返し、ステップＳ１０４でＥ（Ｎ＋１／２）と比較すると、ＲＤ（Ｎ＋１／２）のリーダ番号「Ｎ」がステップＳ１０７で検出されてステップＳ１０９に進む。そして、ステップＳ１１１にて、ＲＤ（１）のリーダ番号「００１」とＲＤ（２）のリーダ番号「００３」が加算され、ステップＳ１１４にてＸの値「００４」がカウンタＣ１の値２で割られ、除算結果「００２」がＩにセットされる。そして、ステップＳ１１５にて今回ＩＤデータのＤ（２）に「Ｐ０１００１」が記憶される。
【０１１６】
そして、ステップＳ１１６にて読出ポインタＱ２の値が＋１されて２となり、ステップＳ１１７を偽と判定し、ステップＳ１０１でＩＤ（２）からＩＤ４にＩＤ「Ｑ０１００９」が読み出される。そして、ステップＳ１０４で比較されるＥ（１）には、ＩＤ「Ｑ０１００９」は含まれていないことにより、ステップＳ１０７にジャンプし、リーダ番号「００１」は最終番号でないから、ステップＳ１０７を偽と判定し、ポインタＱ１が＋１されて２となり、ステップＳ１０４で比較されるＥ（２）に、ＩＤ「Ｑ０１００９」が含まれていることにより、ステップＳ１０５にてカウンタＣ１の値＋１されて１となり、ステップＳ１０６にてＲＤ（２）のリーダ番号「００３」がＲＤ（Ｃ１）、即ち、ＲＤ（１）に記憶される。
【０１１７】
次に、ステップＳ１０８にてポインタＱ１が＋１されて３となるが、Ｅ（３）〜Ｅ（Ｎ）にはＩＤ「Ｑ０１００９」が含まれていないことにより、ステップＳ１０４で最終番号のＥ（Ｎ＋１／２）と比較するまで、ステップＳ１０４を偽、ステップＳ１０７を偽、ステップＳ１０８を繰り返し、ステップＳ１０４でＥ（Ｎ＋１／２）と比較すると、ＲＤ（Ｎ＋１／２）のリーダ番号「Ｎ」がステップＳ１０７で検出されてステップＳ１０９に進む。そして、ステップＳ１１１にて、加算レジスタＸの内容「０」にＲＤ（１）のリーダ番号「００３」が加算され、ステップＳ１１４にてＸの値「００３」がカウンタＣ１の値１で割られ、除算結果「００３」がＩにセットされる。そして、ステップＳ１１５にて今回ＩＤデータのＤ（３）に「Ｑ０１００９」が記憶される。
【０１１８】
なお、図２５のステップＳ５６の新たなプレートの検出処理とステップＳ５８のプレート状態の表示処理については、第１実施形態と同じ処理となるため、説明を省略する（図１４及び図１５参照）。
【０１１９】
以上に説明したように、１つのＩＤを２つの無線リーダで同時に受信した場合、上述の例では、ＩＤ「Ｐ０１００１」を２つの無線リーダ（リーダ番号「００１」の無線リーダとリーダ番号「００３」の無線リーダ）で同時に受信した場合、２つの無線リーダの中間位置に（００２番台に）相当する遊技台に対応して取り付けられた表示プレートであると判定し、中間位置に相当する遊技台の台番号と特定する。第２実施形態においても、どの遊技台に対応して表示プレートが取り付けられているのかを正しく判定することができ、遊技台１台毎に無線リーダ１つを設置しなくてもよく、遊技台に対して設置する無線リーダの設置台数を削減することができる。
【図面の簡単な説明】
【０１２０】
【図１】本発明の実施形態に係る遊技台管理装置の要部ブロック図である。
【図２】本発明において使用する表示プレートを示す図である。
【図３】管理装置に設けられたＩＤ／遊技状態記憶テーブルの一態様を示す図である。
【図４】表示プレートに付設されたＲＦＩＤ（ＩＤ無線送信手段）及び遊技台に設けられた無線リーダのブロック図である。
【図５】各遊技台に無線リーダを１つずつ設置した第１実施形態の遊技設備の平面図である。
【図６】図５において遊技台に対して差し込まれた表示プレートに対して各無線リーダによって受信されたＩＤを示す図である。
【図７】各遊技台に対して無線リーダを１台おきに設置した第２実施形態の遊技設備の平面図である。
【図８】図７において遊技台に対して差し込まれた表示プレートに対して各無線リーダによって受信されたＩＤを示す図である。
【図９】管理装置の表示画面に表示される表示プレートを取り付けた遊技台の遊技状態の一覧表示の一例を表形式で示す図である。
【図１０】第１実施形態において無線リーダの制御部が実行するＩＤ検知送信処理のフローチャートである。
【図１１】第１実施形態において管理装置の制御部のＣＰＵが実行する無線リーダからのＩＤ送信に応じた遊技台の遊技状態の出力に関する処理のメインルーチンを示すフローチャートである。
【図１２】第１実施形態において管理装置のＣＰＵが実行する全無線リーダとの通信処理のサブルーチンを示すフローチャートである。
【図１３】管理装置のメモリに設定されている台番号００１〜台番号Ｎまでの無線リーダの今回ＩＤデータと前回ＩＤデータの記憶部を示す図である。
【図１４】第１実施形態において管理装置のＣＰＵが実行する新たなプレートの検出処理のサブルーチンを示すフローチャートである。
【図１５】第１実施形態において管理装置のＣＰＵが実行するプレート状態の表示処理のサブルーチンを示すフローチャートである。
【図１６】第２実施形態において無線リーダの制御部が実行するＩＤ検知送信処理の一部を示すフローチャートである。
【図１７】図１６のフローチャートのつづきである。
【図１８】図１７のフローチャートのつづきである。
【図１９】図１７のフローチャートのつづきである。
【図２０】第２実施形態の無線リーダの記憶部に設定されている今回ＩＤデータの記憶部を示す図である。
【図２１】第２実施形態の無線リーダの記憶部に設定されている前回連続検出ＩＤデータの記憶部を示す図である。
【図２２】第２実施形態の無線リーダの記憶部に設定されている連続検出ＩＤデータの記憶部を示す図である。
【図２３】今回ＩＤデータと前回連続検出ＩＤデータ及び前回連続検出回数カウンタとから作成される連続検出ＩＤデータ及び連続検出回数カウンタの具体例を示した図である。
【図２４】無線リーダから管理装置に対して送信されるＩＤデータの具体例を示した図である。
【図２５】第２実施形態において管理装置の制御部のＣＰＵが実行する無線リーダからのＩＤ送信に応じた処理のメインルーチンを示すフローチャートである。
【図２６】第２実施形態において管理装置の制御部のＣＰＵが実行する全無線リーダとの通信処理によって管理装置に記憶される台番号−受信ＩＤデータを示す図である。
【図２７】第２実施形態において管理装置の制御部のＣＰＵが実行するプレートのＩＤ検出処理によって作成された配列ＩＤデータの具体例を示す図である。
【図２８】第２実施形態において管理装置の制御部のＣＰＵが実行する今回ＩＤデータＤ（１）〜Ｄ（Ｎ）を前回ＩＤデータＢ（１）〜Ｂ（Ｎ）に転送する処理の具体例を示す図である。
【図２９】第２実施形態において管理装置の制御部のＣＰＵが実行するプレートの位置検出処理によって特定された表示プレートの位置（台番号）に対応して今回ＩＤデータに記憶されるＩＤの具体例を示す図である。
【図３０】第２実施形態において管理装置のＣＰＵが実行する全無線リーダとの通信処理のサブルーチンを示すフローチャートである。
【図３１】第２実施形態において管理装置のＣＰＵが実行するプレートのＩＤ検出処理のサブルーチンの一部を示すフローチャートである。
【図３２】図３１のフローチャートのつづきである。
【図３３】第２実施形態において管理装置のＣＰＵが実行するプレートの位置検出処理のサブルーチンを示すフローチャートである。
【符号の説明】
【０１２１】
１  遊技台管理装置
２  遊技台
３  無線リーダ
４  管理装置
５  伝送路
６  表示プレート
６ａ  大当り表示プレート
６ｂ  ラッキーナンバー表示プレート
６ｃ  打止表示プレート
６ｄ  食事中表示プレート
７  ＲＦＩＤ
【図１】
2006051179.tif 000003
【図２】
2006051179.tif 000004
【図３】
2006051179.tif 000005
【図４】
2006051179.tif 000006
【図５】
2006051179.tif 000007
【図６】
2006051179.tif 000008
【図７】
2006051179.tif 000009
【図８】
2006051179.tif 000010
【図９】
2006051179.tif 000011
【図１０】
2006051179.tif 000012
【図１１】
2006051179.tif 000013
【図１２】
2006051179.tif 000014
【図１３】
2006051179.tif 000015
【図１４】
2006051179.tif 000016
【図１５】
2006051179.tif 000017
【図１６】
2006051179.tif 000018
【図１７】
2006051179.tif 000019
【図１８】
2006051179.tif 000020
【図１９】
2006051179.tif 000021
【図２０】
2006051179.tif 000022
【図２１】
2006051179.tif 000023
【図２２】
2006051179.tif 000024
【図２３】
2006051179.tif 000025
【図２４】
2006051179.tif 000026
【図２５】
2006051179.tif 000027
【図２６】
2006051179.tif 000028
【図２７】
2006051179.tif 000029
【図２８】
2006051179.tif 000030
【図２９】
2006051179.tif 000031
【図３０】
2006051179.tif 000032
【図３１】
2006051179.tif 000033
【図３２】
2006051179.tif 000034
【図３３】
2006051179.tif 000035